(57)【要約】      （修正有）【課題】大規模な有料道路網であっても経路に応じた多様な料金体系による料金収受などの料金処理を容易に実現できる料金処理システム、中央装置及び出口料金所機器を提供する。【解決手段】料金処理システムは、エリア管理装置１Ｂと入口料金所機器２と出口料金所機器３と経路機器４と関所機器５とを具備する。前記関所機器は、関所を通過する車両と通信した場合、移動元のエリアの前記エリア管理装置と移動先のエリアの前記エリア管理装置の両方または少なくとも一方に対し、当該車両がエリアを移動したことを示すエリア跨ぎ情報を送信する前記関所制御部を有する。前記エリア管理装置は、前記関所機器からエリアを移動した車両を示すエリア跨ぎ情報を受信した場合、車両が通行した経路または経路に応じた変動額を示す引継情報を隣接エリアの前記エリア管理装置との間で引継を行う中央制御部を有する。【選択図】図２
2020107111.tif 000002
【特許請求の範囲】
【請求項１】
複数のエリアに分けられた有料道路における通行料金を処理する料金処理システムであって、
前記有料道路における前記エリアに対応して設けられたエリア管理装置と、
前記有料道路への入場処理を行う入口料金所機器と、
前記有料道路からの出場処理を行う出口料金所機器と、
前記有料道路において車両が通過した経路を検出する経路機器と、
他のエリアの境界となる関所を通過する車両を検出する関所機器と、
を具備し、
前記関所機器は、
前記関所を通過する車両に搭載された車載器と通信する車両通信部と、
前記エリア管理装置と通信する中央通信部と、
前記関所を通過する車両と通信した場合、移動元のエリアのエリア管理装置と、移動先のエリアのエリア管理装置の両方または少なくとも一方に対し、当該車両がエリアを移動したことを示すエリア跨ぎ情報を送信する関所制御部と、を有し、
前記エリア管理装置は、
他のエリアのエリア管理装置と通信するエリア間通信部と、
当該エリア管理装置が対応する自エリア内の入口料金所機器、前記自エリア内の出口料金所機器、前記自エリア内の経路機器、および、前記自エリアと前記自エリアに隣接する他のエリアとの接続部分に設けられた関所機器と通信する機器通信部と、
前記関所機器または隣接エリアのエリア管理装置から、エリアを移動した車両を示すエリア跨ぎ情報を受信した場合、前記車両が通行した経路または経路に応じた変動額を示す引継情報を、隣接エリアのエリア管理装置との間で引継を行う中央制御部と、を有し
前記出口料金所機器は、
前記有料道路における前記エリア毎に設けられたエリア管理装置のうち出口料金所が配置される自エリアに設けられたエリア管理装置と通信する通信部と、
前記出口料金所に車両が進入してきた時に、当該車両に搭載された車載器と通信する車両通信部と、
前記車両通信部によって通信した前記車両に関する情報と、当該車両が他のエリアから自エリアへ移動してきた車両である場合に当該車両の移動元のエリアに対応するエリア管理装置からの引継情報と、前記自エリア内で当該車両が通行した経路とに基づいて前記車両に対する出場処理を行う出口制御部と、を有する、
料金処理システム。
【請求項２】
前記エリア管理装置は、少なくとも入口と出口との対応により設定される基本テーブルと、経路に対して設定される変動額を示す変動課金テーブルを有し、
前記エリア管理装置の中央制御部は、
当該車両が他のエリアから自エリアへ移動した車両である場合には前記自エリアのエリア管理装置が当該車両の移動元のエリアに対応するエリア管理装置からの引継情報と前記自エリア内で当該車両が通行した経路とから当該車両に関する情報を更新し、
前記出口料金所機器から要求を受けた時に、更新された当該車両に関する情報と前記基本テーブルと前記変動課金テーブルに基づく料金に関する情報を前記出口料金所機器に送信し、
前記出口料金所機器は、前記車両通信部によって通信した前記車両の料金に関する情報を前記自エリアのエリア管理装置へ要求し、前記エリア管理装置から取得する情報に基づいて前記車両に対する出場処理を行う、
請求項１に記載の料金処理システム。
【請求項３】
前記変動課金テーブルは、前記有料道路におけるエリア毎に設定される変動課金テーブルのうち前記自エリアにおける経路に対して設定される変動額を示す変動課金テーブルであり、
前記エリア管理装置の前記中央制御部は、
前記自エリア内で車両が通行した経路に応じた変動額を前記変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記エリア内の出口料金所機器からの要求に応じて前記移動元のエリアのエリア管理装置から取得した前記引継情報に含まれる累積変動額に前記車両が自エリア内で通行した全ての経路に対して前記変動課金テーブルから引当てた変動額を加算した変動額の合計を、前記車両の入口と出口との組み合わせに応じた基本料金に適用した通行料金を示す情報を前記出口料金所機器へ提供する、
請求項２に記載の料金処理システム。
【請求項４】
前記変動課金テーブルは、前記有料道路全体における経路に対して設定される変動額を示す共通の変動課金テーブルであり、
前記エリア管理装置の前記中央制御部は、
前記自エリア内で車両が通行した経路に応じた変動額を前記共通の変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報に含まれる累積変動額に前記車両が自エリア内で通行した経路に対して前記共通の変動課金テーブルから引当てた変動額を加算した変動額の合計を、前記車両の入口と出口との組み合わせに応じた基本料金に適用した通行料金を示す情報を前記出口料金所機器へ提供する、
請求項２に記載の料金処理システム。
【請求項５】
前記変動課金テーブルは、前記有料道路全体における経路に対して設定される変動額を示す共通の変動課金テーブルであり、
前記エリア管理装置の前記中央制御部は、
前記自エリアから他のエリアへ移動する車両が前記自エリア内で通行した全経路を示す全経路情報を含む引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報が示す全経路と前記自エリアで当該車両が通行した全ての経路とに対して前記共通の変動課金テーブルから引当てた変動額の合計を、前記車両の入口と出口との組み合わせに応じた基本料金に適用した通行料金を示す情報を前記出口料金所機器へ提供する、
請求項２に記載の料金処理システム。
【請求項６】
前記エリア管理装置は、経路に対して設定される変動額を示す変動課金テーブルを有し、
前記出口料金所機器は、少なくとも入口と出口との対応により設定される基本課金テーブルを有し、
前記エリア管理装置の中央制御部は、
当該車両が他のエリアから自エリアへ移動した車両である場合には前記自エリアのエリア管理装置が当該車両の移動元のエリアに対応するエリア管理装置からの引継情報と前記自エリア内で当該車両が通行した経路とから当該車両に関する情報を更新し、
前記出口料金所機器から要求を受けた時に、更新された当該車両に関する情報と変動課金テーブルとに基づく変動額に関する情報を前記出口料金所機器に送信し、
前記出口料金所機器は、前記車両通信部によって通信した前記車両の変動額に関する情報を前記自エリアのエリア管理装置へ要求し、前記エリア管理装置から取得する変動額に関する情報と基本テーブルに基づいて前記車両に対する出場処理を行う、
請求項１に記載の料金処理システム。
【請求項７】
前記変動課金テーブルは、前記有料道路におけるエリア毎に設定される変動課金テーブルのうち前記自エリアにおける経路に対して設定される変動額を示す変動課金テーブルであり、
前記エリア管理装置の前記中央制御部は、
前記自エリア内で車両が通行した経路に応じた変動額を前記変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記エリア内の出口料金所機器からの要求に応じて前記移動元のエリアのエリア管理装置から取得した前記引継情報に含まれる累積変動額に当該車両が自エリア内で通行した全ての経路に対して前記変動課金テーブルから引当てた変動額を加算した変動額の合計を示す情報を前記出口料金所機器へ提供する、
請求項６に記載の料金処理システム。
【請求項８】
前記変動課金テーブルは、前記有料道路全体における経路に対して設定される変動額を示す共通の変動課金テーブルであり、
前記エリア管理装置の前記中央制御部は、
前記自エリア内で車両が通行した経路に応じた変動額を前記共通の変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報に含まれる累積変動額に当該車両が自エリア内で通行した全ての経路に対して前記共通の変動課金テーブルから引当てた変動額を加算した変動額の合計を示す情報を前記出口料金所機器へ提供する、
請求項６に記載の料金処理システム。
【請求項９】
前記変動課金テーブルは、前記有料道路全体における経路に対して設定される変動額を示す共通の変動課金テーブルであり、
前記エリア管理装置の前記中央制御部は、
前記自エリアから他のエリアへ移動する車両が前記自エリア内で通行した全経路を示す全経路情報を含む引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報が示す全経路と前記自エリアで当該車両が通行した全ての経路とに対して前記共通の変動課金テーブルから引当てた変動額の合計を示す情報を前記出口料金所機器へ提供する、
請求項６に記載の料金処理システム。
【請求項１０】
前記出口料金所機器は、少なくとも入口と出口との対応により設定される基本課金テーブルと、経路に対して設定される変動額を示す変動課金テーブルを有し、
前記エリア管理装置の中央制御部は、
当該車両が他のエリアから自エリアへ移動した車両である場合には前記自エリアのエリア管理装置が当該車両の移動元のエリアに対応するエリア管理装置からの引継情報と前記自エリア内で当該車両が通行した経路とから当該車両に関する情報を更新し、
前記出口料金所機器は、前記エリア管理装置から取得する情報と基本テーブルに基づいて前記車両に対する出場処理を行う、
請求項１に記載の料金処理システム。
【請求項１１】
前記変動課金テーブルは、前記有料道路におけるエリア毎に設定される変動課金テーブルのうち前記自エリアにおける経路に対して設定される変動額を示す変動課金テーブルであり、
前記エリア管理装置の前記中央制御部は、
前記自エリア内で車両が通行した経路に応じた変動額を前記変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記エリア内の出口料金所機器からの要求に応じて前記移動元のエリアのエリア管理装置から取得した前記引継情報に含まれる累積変動額と当該車両が前記自エリア内で通行した全ての経路を示す全経路情報とを含む情報を前記出口料金所機器へ提供する、
請求項１０に記載の料金処理システム。
【請求項１２】
前記変動課金テーブルは、前記有料道路全体における経路に対して設定される変動額を示す共通の変動課金テーブルであり、
前記エリア管理装置の前記中央制御部は、
前記自エリア内で車両が通行した経路に応じた変動額を前記共通の変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報に含まれる累積変動額と当該車両が前記自エリア内で通行した全ての経路を示す全経路情報とを含む情報を前記出口料金所機器へ提供する、
請求項１０に記載の料金処理システム。
【請求項１３】
前記エリア管理装置の前記中央制御部は、
前記自エリアから他のエリアへ移動する車両が前記自エリア内で通行した全経路を示す全経路情報を含む引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報が示す全経路と前記自エリアで当該車両が通行した全ての経路とを示す情報を前記出口料金所機器へ提供する、
請求項１０に記載の料金処理システム。
【請求項１４】
前記変動課金テーブルは、前記有料道路におけるエリア毎に設定される変動課金テーブルのうち前記自エリアにおける経路に対して設定される変動額を示す変動課金テーブルであり、
前記エリア管理装置の前記中央制御部は、
前記関所機器から前記自エリアから他のエリアへ移動する車両が前記自エリア内で通行した全ての経路を示す情報を含むエリア跨ぎ情報を受信し、当該車両が前記自エリア内で車両が通行した経路に応じた変動額を前記変動課金テーブルから引当て、当該車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記エリア内の出口料金所機器からの要求に応じて前記移動元のエリアのエリア管理装置から取得した前記引継情報に含まれる累積変動額を示す情報を前記出口料金所機器へ提供する、
請求項１０に記載の料金処理システム。
【請求項１５】
前記変動課金テーブルは、前記有料道路全体における経路に対して設定される変動額を示す共通の変動課金テーブルであり、
前記エリア管理装置の前記中央制御部は、
前記関所機器から前記自エリアから他のエリアへ移動する車両が前記自エリア内で通行した全ての経路を示す情報を含むエリア跨ぎ情報を受信し、当該車両が前記自エリア内で車両が通行した経路に応じた変動額を前記共通の変動課金テーブルから引当て、当該車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報に含まれる累積変動額を示す情報を前記出口料金所機器へ提供する、
請求項１０に記載の料金処理システム。
【請求項１６】
前記エリア管理装置の前記中央制御部は、
前記関所機器から前記自エリアから他のエリアへ移動する車両が前記自エリア内で通行した全ての経路を示す情報を含むエリア跨ぎ情報を受信し、当該車両が前記自エリア内で通行した全経路を示す全経路情報を含む引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報に含まれる全経路を示す情報を前記出口料金所機器へ提供する、
請求項１０に記載の料金処理システム。
【請求項１７】
複数のエリアに分けられた有料道路における通行料金を処理するために、前記エリア毎に設けられるエリア管理装置であって、
当該エリア管理装置が対応するエリアとしての自エリア内の出口料金所機器、および、前記自エリアと前記自エリアに隣接する隣接エリアとの間に設けた関所を通過する車両を検出する関所機器と通信する機器通信部と、
前記隣接エリアのエリア管理装置と通信するエリア間通信部と、
前記関所機器から前記自エリアから前記隣接エリアへ移動した車両を示すエリア跨ぎ情報を受信した場合、前記車両が通行した経路または経路に応じた変動額を示す引継情報を移動先のエリアのエリア管理装置へ送信し、
前記エリア内の出口料金所機器からの要求に応じて移動元のエリアのエリア管理装置から取得した引継情報と前記自エリア内で当該車両が通行した経路とから前記要求に応じて出口料金所機器へ提供する応答情報を作成し、作成した応答情報を前記出口料金所機器へ送信する、制御部と、
を有するエリア管理装置。
【請求項１８】
前記エリア管理装置は、少なくとも入口と出口との対応により設定される基本テーブルと、経路に対して設定される変動額を示す変動課金テーブルを有し、
前記エリア管理装置の中央制御部は、
当該車両が他のエリアから自エリアへ移動した車両である場合には前記自エリアのエリア管理装置が当該車両の移動元のエリアに対応するエリア管理装置からの引継情報と前記自エリア内で当該車両が通行した経路とから当該車両に関する情報を更新し、
前記出口料金所機器から要求を受けた時に、更新された当該車両に関する情報と前記基本テーブルと前記変動課金テーブルに基づく料金に関する情報を前記出口料金所機器に送信する、
請求項１７に記載のエリア管理装置。
【請求項１９】
前記変動課金テーブルは、前記有料道路におけるエリア毎に設定される変動課金テーブルのうち前記自エリアにおける経路に対して設定される変動額を示す変動課金テーブルであり、
前記制御部は、
前記自エリア内で車両が通行した経路に応じた変動額を前記変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記エリア内の出口料金所機器からの要求に応じて前記移動元のエリアのエリア管理装置から取得した前記引継情報に含まれる累積変動額に前記車両が自エリア内で通行した全ての経路に対して前記変動課金テーブルから引当てた変動額を加算した変動額の合計を、前記車両の入口と出口との組み合わせに応じた基本料金に適用した通行料金を示す情報を前記出口料金所機器へ提供する、
請求項１８に記載のエリア管理装置。
【請求項２０】
前記変動課金テーブルは、前記有料道路全体における経路に対して設定される変動額を示す共通の変動課金テーブルであり、
前記制御部は、
前記自エリア内で車両が通行した経路に応じた変動額を前記共通の変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて、前記移動元のエリアのエリア管理装置から取得した引継情報に含まれる累積変動額に前記車両が自エリア内で通行した経路に対して前記共通の変動課金テーブルから引当てた変動額を加算した変動額の合計を、前記車両の入口と出口との組み合わせに応じた基本料金に適用した通行料金を示す情報を前記出口料金所機器へ提供する、
請求項１８に記載のエリア管理装置。
【請求項２１】
前記変動課金テーブルは、前記有料道路全体における経路に対して設定される変動額を示す共通の変動課金テーブルであり、
前記制御部は、
前記自エリアから他のエリアへ移動する車両が前記自エリア内で通行した全経路を示す全経路情報を含む引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報が示す全経路と前記自エリアで当該車両が通行した全ての経路とに対して前記共通の変動課金テーブルから引当てた変動額の合計を、前記車両の入口と出口との組み合わせに応じた基本料金に適用した通行料金を示す情報を前記出口料金所機器へ提供する、
請求項１８に記載のエリア管理装置。
【請求項２２】
前記エリア管理装置は、経路に対して設定される変動額を示す変動課金テーブルを有し、
前記エリア管理装置の中央制御部は、
当該車両が他のエリアから自エリアへ移動した車両である場合には前記自エリアのエリア管理装置が当該車両の移動元のエリアに対応するエリア管理装置からの引継情報と前記自エリア内で当該車両が通行した経路とから当該車両に関する情報を更新し、
前記出口料金所機器から要求を受けた時に、更新された当該車両に関する情報と変動課金テーブルに基づく変動額に関する情報を前記出口料金所機器に送信する、
請求項１７に記載のエリア管理装置。
【請求項２３】
前記変動課金テーブルは、前記有料道路におけるエリア毎に設定される変動課金テーブルのうち前記自エリアにおける経路に対して設定される変動額を示す変動課金テーブルであり、
前記制御部は、
前記自エリア内で車両が通行した経路に応じた変動額を前記変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記エリア内の出口料金所機器からの要求に応じて前記移動元のエリアのエリア管理装置から取得した前記引継情報に含まれる累積変動額に当該車両が自エリア内で通行した全ての経路に対して前記変動課金テーブルから引当てた変動額を加算した変動額の合計を示す情報を前記出口料金所機器へ提供する、
請求項２２に記載のエリア管理装置。
【請求項２４】
前記変動課金テーブルは、前記有料道路全体における経路に対して設定される変動額を示す共通の変動課金テーブルであり、
前記制御部は、
前記自エリア内で車両が通行した経路に応じた変動額を前記共通の変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報に含まれる累積変動額に当該車両が自エリア内で通行した全ての経路に対して前記共通の変動課金テーブルから引当てた変動額を加算した変動額の合計を示す情報を前記出口料金所機器へ提供する、
請求項２２に記載のエリア管理装置。
【請求項２５】
前記変動課金テーブルは、前記有料道路全体における経路に対して設定される変動額を示す共通の変動課金テーブルであり、
前記制御部は、
前記自エリアから他のエリアへ移動する車両が前記自エリア内で通行した全経路を示す全経路情報を含む引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報が示す全経路と前記自エリアで当該車両が通行した全ての経路とに対して前記共通の変動課金テーブルから引当てた変動額の合計を示す情報を前記出口料金所機器へ提供する、
請求項２２に記載のエリア管理装置。
【請求項２６】
前記エリア管理装置の中央制御部は、
当該車両が他のエリアから自エリアへ移動した車両である場合には前記自エリアのエリア管理装置が当該車両の移動元のエリアに対応するエリア管理装置からの引継情報と前記自エリア内で当該車両が通行した経路とから当該車両に関する情報を更新し、エリア内の前記出口料金所機器に配信する、
請求項１７に記載のエリア管理装置。
【請求項２７】
前記自エリアにおける経路に対して設定される変動額を示す変動課金テーブルを有し、
前記制御部は、
前記自エリア内で車両が通行した経路に応じた変動額を前記変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記エリア内の出口料金所機器からの要求に応じて前記移動元のエリアのエリア管理装置から取得した前記引継情報に含まれる累積変動額と当該車両が前記自エリア内で通行した全ての経路を示す全経路情報とを含む情報を前記出口料金所機器へ提供する、
請求項２６に記載のエリア管理装置。
【請求項２８】
前記有料道路全体における経路に対して設定される変動額を示す共通の変動課金テーブルを有し、
前記制御部は、
前記自エリア内で車両が通行した経路に応じた変動額を前記共通の変動課金テーブルから引当て、前記自エリアから他のエリアへ移動する車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報に含まれる累積変動額と当該車両が前記自エリア内で通行した全ての経路を示す全経路情報とを含む情報を前記出口料金所機器へ提供する、
請求項２６に記載のエリア管理装置。
【請求項２９】
前記制御部は、
前記自エリアから他のエリアへ移動する車両が前記自エリア内で通行した全経路を示す全経路情報を含む引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報が示す全経路と前記自エリアで当該車両が通行した全ての経路とを示す情報を前記出口料金所機器へ提供する、
請求項２６に記載のエリア管理装置。
【請求項３０】
前記自エリアにおける経路に対して設定される変動額を示す変動課金テーブルを有し、
前記制御部は、
前記関所機器から前記自エリアから他のエリアへ移動する車両が前記自エリア内で通行した全ての経路を示す情報を含むエリア跨ぎ情報を受信し、当該車両が前記自エリア内で車両が通行した経路に応じた変動額を前記変動課金テーブルから引当て、当該車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記エリア内の出口料金所機器からの要求に応じて前記移動元のエリアのエリア管理装置から取得した前記引継情報に含まれる累積変動額を示す情報を前記出口料金所機器へ提供する、
請求項２６に記載のエリア管理装置。
【請求項３１】
前記有料道路全体における経路に対して設定される変動額を示す共通の変動課金テーブルを有し、
前記制御部は、
前記関所機器から前記自エリアから他のエリアへ移動する車両が前記自エリア内で通行した全ての経路を示す情報を含むエリア跨ぎ情報を受信し、当該車両が前記自エリア内で車両が通行した経路に応じた変動額を前記共通の変動課金テーブルから引当てて、当該車両が前記自エリア内で通行した全ての経路に応じた変動額の合計を含む累積変動額を示す引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報に含まれる累積変動額を示す情報を前記出口料金所機器へ提供する、
請求項２６に記載のエリア管理装置。
【請求項３２】
前記制御部は、
前記関所機器から前記自エリアから他のエリアへ移動する車両が前記自エリア内で通行した全ての経路を示す情報を含むエリア跨ぎ情報を受信し、当該車両が前記自エリア内で通行した全経路を示す全経路情報を含む引継情報を移動先のエリアのエリア管理装置へ送信し、
前記自エリアへ進入する車両に関する引継情報を移動元のエリアのエリア管理装置から受信し、前記自エリア内の出口料金所機器からの要求に応じて前記移動元のエリアのエリア管理装置から取得した引継情報に含まれる全経路を示す情報を前記出口料金所機器へ提供する、
請求項２６に記載のエリア管理装置。
【請求項３３】
複数のエリアに分けられた有料道路における通行料金を処理する料金処理システムに用いられる関所機器であって、
前記有料道路における第１エリアと前記第１エリアに隣接する第２エリアとの境界となる関所を通過する車両に搭載された車載器と通信する車両通信部と、
前記第１エリアに対応する第１のエリア管理装置と前記第２エリアに対応する第２のエリア管理装置の両方または少なくとも一方と通信する中央通信部と、
前記車両通信部により前記関所を前記第１エリアから前記第２エリアへ移動する車両と通信した場合、前記第１エリアから前記第２エリアへ移動した車両を示す情報を含むエリア跨ぎ情報を前記第１のエリア管理装置と前記第２のエリア管理装置との両方または少なくとも一方へ送信する制御部と、
を有する関所機器。
【請求項３４】
前記制御部は、前記第１エリアから前記第２エリアへ移動した車両の識別情報を含むエリア跨ぎ情報を前記第１のエリア管理装置と前記第２のエリア管理装置との両方または少なくとも一方へ送信する、
請求項３３に記載の関所機器。
【請求項３５】
前記制御部は、前記第１エリアから前記第２エリアへ移動した車両の識別情報と前記車両が第１エリアにおいて通行した全ての経路を示す情報とを含むエリア跨ぎ情報を前記第１のエリア管理装置と前記第２のエリア管理装置との両方または少なくとも一方へ送信する、
請求項３３に記載の関所機器。
【請求項３６】
複数のエリアに分けられた有料道路における通行料金を処理する料金処理システムに用いられ、出口料金所で車両の出場処理を行う出口料金所機器であって、
前記有料道路における前記エリア毎に設けられたエリア管理装置のうち前記出口料金所が配置される自エリアに設けられたエリア管理装置と通信する通信部と、
前記出口料金所に進入する車両に搭載された車載器と通信する車両通信部と、
前記車両通信部によって通信した前記車両に関する情報を前記自エリアのエリア管理装置へ要求し、当該車両が他のエリアから自エリアへ移動した車両である場合には前記自エリアのエリア管理装置が当該車両の移動元のエリアに対応するエリア管理装置からの引継情報と前記自エリア内で当該車両が通行した経路とから作成された応答情報を取得し、取得した応答情報に基づいて前記車両に対する出場処理を行う制御部と、
を有する出口料金所機器。
【請求項３７】
前記制御部は、前記自エリアのエリア管理装置から前記車両に課する通行料金を示す情報を取得し、取得した通行料金に基づいて前記車両に対する出場処理を行う、
請求項３６に記載の出口料金所機器。
【請求項３８】
さらに、前記有料道路全体における入口と出口との組み合わせに対応する基本料金を示す基本テーブルを有し、
前記制御部は、前記車両通信部によって前記車載器から取得する前記車両の入口と出口との組み合わせに対応する基本料金を基本テーブルから引当て、前記自エリアのエリア管理装置から前記車両に対する変動額の合計を示す情報を取得し、前記基本料金に変動額を適用して算出する通行料金に基づいて前記車両に対する出場処理を行う、
請求項３６に記載の出口料金所機器。
【請求項３９】
さらに、前記有料道路全体における入口と出口との組み合わせに対応する基本料金を示す基本テーブルと、前記自エリアにおける経路に対して設定される変動額を示す変動課金テーブルと、を有し、
前記制御部は、前記車両通信部によって前記車載器から取得する前記車両の入口と出口との組み合わせに対応する基本料金を基本テーブルから引当て、前記自エリアのエリア管理装置から前記車両に対する前記移動元のエリアまでの累積変動額と前記自エリアにおける全経路を示す全経路情報とを含む情報を取得し、前記移動元のエリアまでの累積変動額に前記自エリア内で通行した全ての経路に対して前記変動課金テーブルから引当てた変動額を加算した変動額の合計を前記基本料金に適用して算出する通行料金に基づいて前記車両に対する出場処理を行う、
請求項３６に記載の出口料金所機器。
【請求項４０】
さらに、前記有料道路全体における入口と出口との組み合わせに対応する基本料金を示す基本テーブルと、
前記自エリアにおける経路に対して設定される変動額を示す変動課金テーブルと、を有し、
前記制御部は、前記車両通信部によって前記車載器から取得する前記車両の入口と出口との組み合わせに対応する基本料金を基本テーブルから引当て、前記自エリアのエリア管理装置から前記車両に対する前記移動元のエリアまでの累積変動額を取得し、前記車両通信部によって前記車載器から前記自エリアにおける全経路を示す全経路情報を取得し、前記移動元のエリアまでの累積変動額に前記自エリア内で通行した全ての経路に対して前記変動課金テーブルから引当てた変動額を加算した全エリアでの変動額の合計を前記基本料金に適用して算出する通行料金に基づいて前記車両に対する出場処理を行う、
請求項３６に記載の出口料金所機器。
【発明の詳細な説明】
【技術分野】
【０００１】
本発明の実施形態は、料金処理システム、中央装置及び出口料金所機器に関する。
【背景技術】
【０００２】
近年、高速道路などの有料道路では、車両に搭載された車載器との無線通信により料金を収受するＥＴＣシステムが普及してきている。また、有料道路では、利用促進あるいは混雑緩和などを目的として多様なサービスが提案されている。例えば、車両が通過する経路や日時などに応じて料金を割り引くサービスなどが提案されている。一方で、高速道路などの道路網は、全国規模でつながっており、新規路線の追加などでエリアが拡大して経路も複雑になってきている。このため、各車両について、通行した経路などの情報を管理して多様な料金体系に対応した料金処理を実現することが難しくなってきている。
【０００３】
従来、高速道路を車両が通行した経路を管理する方法としては、車両に搭載した記憶媒体（車載器にセットしたＥＴＣカードなど）に経路情報を書き込む方法が考えられる。しかしながら、現行のＥＴＣシステムでは、ＥＴＣカードの記憶領域に全国規模の経路情報を記憶するのは困難である。また、技術的にはＥＴＣカードの記憶領域を拡張することが考えられるが、移行コストが高額となるため、現実的ではない。
【０００４】
また、別の方法としては、ＩＴＳスポットと呼ばれる道路の各所に設定された複数の情報収集装置が収集するＧＰＳ情報を含む経路情報を集約して１つの車両が通行した経路を算出することが技術的には可能である。しかしながら、道路を通行する複数の車両に対する複数の経路情報を一括して取り扱ったり、実際には誤差が生じるＧＰＳ情報をマップマッチングなどの処理によって車両ごとの経路を特定したりする処理は、多くの処理時間がかかり、出口料金所での料金精算に間に合うように各車両の経路を特定するのは実際には困難である。
【先行技術文献】
【特許文献】
【０００５】
【特許文献１】特開２０１６−１５１９６９号公報
【発明の概要】
【発明が解決しようとする課題】
【０００６】
上記のように、従来の料金処理システムでは、大規模な有料道路網において実際に通行した経路を車両ごとに管理し、各車両に対して経路に応じた通行料金を算出して料金収受などの処理を実行することは難しいという課題がある。  
本発明は、上記課題を解決するものであり、大規模な有料道路網であっても経路に応じた多様な料金体系による料金収受などの料金処理を容易に実現できる料金処理システム、中央装置及び出口料金所機器を提供することを目的とする。
【課題を解決するための手段】
【０００７】
実施形態によれば、料金処理システムは、有料道路におけるエリアに対応して設けられたエリア管理装置と、有料道路への入場処理を行う入口料金所機器と、有料道路からの出場処理を行う出口料金所機器と、有料道路において車両が通過した経路を検出する経路機器と、他のエリアの境界となる関所を通過する車両を検出する関所機器とを具備する。関所機器は、関所を通過する車両に搭載された車載器と通信する車両通信部と、エリア管理装置と通信する中央通信部と、関所を通過する車両と通信した場合、移動元のエリアのエリア管理装置と、移動先のエリアのエリア管理装置の両方または少なくとも一方に対し、当該車両がエリアを移動したことを示すエリア跨ぎ情報を送信する関所制御部と、を有する。エリア管理装置は、他のエリアのエリア管理装置と通信するエリア間通信部と、当該エリア管理装置が対応する自エリア内の入口料金所機器、自エリア内の出口料金所機器、自エリア内の経路機器、および、自エリアと自エリアに隣接する他のエリアとの接続部分に設けられた関所機器と通信する機器通信部と、関所機器または隣接エリアのエリア管理装置からエリアを移動した車両を示すエリア跨ぎ情報を受信した場合、車両が通行した経路または経路に応じた変動額を示す引継情報を隣接エリアのエリア管理装置との間で引継を行う中央制御部と、を有する。出口料金所機器は、有料道路におけるエリア毎に設けられたエリア管理装置のうち出口料金所が配置される自エリアに設けられたエリア管理装置と通信する通信部と、出口料金所に車両が進入してきた時に当該車両に搭載された車載器と通信する車両通信部と、車両通信部によって通信した車両に関する情報と当該車両が他のエリアから自エリアへ移動してきた車両である場合に当該車両の移動元のエリアに対応するエリア管理装置からの引継情報と、自エリア内で当該車両が通行した経路とに基づいて車両に対する出場処理を行う出口制御部と、を有する。
【図面の簡単な説明】
【０００８】
【図１】図１は、第１実施形態に係る料金処理システムを概略的に説明するための模式図である。
【図２】図２は、第１実施形態に係る料金処理システムにおける各機器の制御系の構成例を示すブロック図である。
【図３】図３は、実施形態に係る基本テーブルの構成例を示す図である。
【図４】図４は、実施形態に係る変動課金テーブルの構成例を示す図である。
【図５】図５は、第１実施形態に係る料金処理システムの運用例を模式的に示す図である。
【図６】図６は、第１実施形態に係る料金処理システムにおけるエリア管理装置の動作例を説明するためのフローチャートである。
【図７】図７は、第１実施形態に係る料金処理システムにおける関所機器の動作例を説明するためのフローチャートである。
【図８】図８は、第１実施形態に係る料金処理システムにおける出口料金所機器の動作例を説明するためのフローチャートである。
【図９】図９は、第１実施形態の第１変形例に係る料金処理システムの運用例を模式的に示す図である。
【図１０】図１０は、第１実施形態の第２変形例に係る料金処理システムの運用例を模式的に示す図である。
【図１１】図１１は、第１実施形態の第２変形例に係る料金処理システムにおけるエリア管理装置の動作例を説明するためのフローチャートである。
【図１２】図１２は、第２実施形態に係る料金処理システムにおける各機器の制御系の構成例を示すブロック図である。
【図１３】図１３は、第２実施形態に係る料金処理システムの運用例を模式的に示す図である。
【図１４】図１４は、第２実施形態に係る料金処理システムにおけるエリア管理装置の動作例を説明するためのフローチャートである。
【図１５】図１５は、第２実施形態に係る料金処理システムにおける出口料金所機器の動作例を説明するためのフローチャートである。
【図１６】図１６は、第２実施形態の第１変形例に係る料金処理システムの運用例を模式的に示す図である。
【図１７】図１７は、第２実施形態の第２変形例に係る料金処理システムの運用例を模式的に示す図である。
【図１８】図１８は、第２実施形態の第２変形例に係る料金処理システムにおけるエリア管理装置の動作例を説明するためのフローチャートである。
【図１９】図１９は、第３実施形態に係る料金処理システムにおける各機器の制御系の構成例を示すブロック図である。
【図２０】図２０は、第３実施形態に係る料金処理システムの運用例を模式的に示す図である。
【図２１】図２１は、第３実施形態に係る料金処理システムにおけるエリア管理装置の動作例を説明するためのフローチャートである。
【図２２】図２２は、第３実施形態に係る料金処理システムにおける出口料金所機器の動作例を説明するためのフローチャートである。
【図２３】図２３は、第３実施形態の第１変形例に係る料金処理システムの運用例を模式的に示す図である。
【図２４】図２４は、第３実施形態の第２変形例に係る料金処理システムの運用例を模式的に示す図である。
【図２５】図２５は、第３実施形態の第２変形例に係る料金処理システムにおけるエリア管理装置の動作例を説明するためのフローチャートである。
【図２６】図２６は、第４実施形態に係る料金処理システムの運用例を模式的に示す図である。
【図２７】図２７は、第４実施形態に係る料金処理システムにおけるエリア管理装置の動作例を説明するためのフローチャートである。
【図２８】図２８は、第４実施形態に係る料金処理システムにおける関所機器の動作例を説明するためのフローチャートである。
【図２９】図２９は、第４実施形態に係る料金処理システムにおける出口料金所機器の動作例を説明するためのフローチャートである。
【図３０】図３０は、第４実施形態の第１変形例に係る料金処理システムの運用例を模式的に示す図である。
【図３１】図３１は、第４実施形態の第２変形例に係る料金処理システムの運用例を模式的に示す図である。
【図３２】図３２は、第４実施形態の第２変形例に係る料金処理システムにおけるエリア管理装置の動作例を説明するためのフローチャートである。
【図３３】図３３は、第４実施形態の第２変形例に係る料金処理システムにおける出口料金所機器の動作例を説明するためのフローチャートである。
【発明を実施するための形態】
【０００９】
以下、実施の形態について、図面を参照しながら説明する。  
まず、各実施形態に係る料金処理システムの概略について説明する。  
料金処理システムが適用される有料道路は、同一発着（入口と出口とが同一）では同一料金とすることを基本（原則）としている。更に、渋滞対策などの様々な施策によって、特定の経路または料金（通行料金）を変動させる予め設定した経路（区間）や、通過日時などの条件を満たした車両に対して料金（通行料金）を値引く（または料金を加算する）施策を行っている。例えば、渋滞を軽減させるための施策として、有料道路における経路別の混雑度に応じて経路ごとの変動額（値引き金額又は加算金額など）が設定されるものとする。
【００１０】
上記のような、経路、区間、または通過時間による変動課金を実施する場合、料金計算の元となる料金テーブルが、複雑かつ膨大になるため、運用に限界がある。このため、各実施形態に係る料金処理システムでは、料金処理の対象となる１つの有料道路網を複数のエリアに分けてエリアごとに経路などの情報を管理し、当該有料道路網から出場する場合に経路などに応じて変動する通行料金を算出する。複数のエリアは、有料道路を管理する道路事業者ごとに分かれるエリアだけではなく、１つの道路事業者の有料道路網（１つの有料道路）を複数のエリアに分けたものでもよい。
【００１１】
本実施の形態では、各エリアには、料金計算に関する処理を行う中央装置であるエリア管理装置を設ける。そして、料金計算は、入口料金所と出口料金所の対応関係で決まる基本料金を決定するための基本課金テーブルと、通過した日時、時刻や、経路により決まる割引額（または割増額）を規定する変動課金テーブルの組合せで料金を決定する。  
以下、第１乃至第４実施形態として、エリアごとに設けたエリア管理装置を含む料金処理システムを実施するための形態について説明する。
【００１２】
（第１実施形態）
第１実施形態は、基本課金テーブルと変動課金テーブルの両方が、エリア管理装置に保持される実施の形態である。  
まずは、変動課金テーブルが、エリア毎に異なる場合の実施形態について説明する。  
図１は、第１実施形態に係る料金処理システムを概略的に説明するための模式図である。  
図１に示すように、実施形態に係る料金処理システムは、１つの有料道路網を複数のエリアＡ、Ｂに分けて管理する。図１に示す構成例において、料金処理システムは、複数のエリア管理装置１（１Ａ、１Ｂ）、入口料金所機器２、出口料金所機器３、経路機器４および関所機器５などを有する。
【００１３】
エリア管理装置１は、エリアごとに設けられる。エリア管理装置１は、入口料金所機器２、出口料金所機器３、経路機器４および関所機器５などの有料道路の各所に設置される路側装置と通信する中央装置（サーバ装置）である。図１に示す例において、料金処理システムは、第１エリアとしてのエリアＡに対応するエリア管理装置１Ａと第２エリアとしてのエリアＢに対応するエリア管理装置１Ｂとを有する。エリア管理装置１Ａは、エリアＡにおいて各車両が通行した経路情報や経路に応じた変動金額などを管理し、エリア管理装置１Ｂは、エリアＢにおいて各車両が通行した経路情報や経路に応じた変動金額などを管理する。
【００１４】
各エリアＡ、Ｂ内には、それぞれ料金所が設けられる。各料金所（ＩＣ）は、入口料金所と出口料金所とが設けられる。ただし、ＩＣは、入口料金所としてだけ機能する入口専用であっても良いし、出口料金所としてだけ機能する出口専用であっても良い。入口料金所及び出口料金所は、例えば、所定方向（入場方向及び出場方向）に車両が通行するように設計されたレーンが設けられる。レーンは、決済用のＩＣカード（ＥＴＣカード）Ｃがセットされる車載器Ｓを搭載した車両が通行する。
【００１５】
入口料金所には入口料金所機器２が配置され、出口料金所には出口料金所機器３が配置される。入口料金所機器２および出口料金所機器３は、レーンを通行する車両に搭載された車載器Ｓと無線通信により通信する。入口料金所機器２は、有料道路に入場する車両に対する入口処理（入場処理）を行う装置である。出口料金所機器３は、有料道路から出場する車両に対する出口処理（出場処理）を行う装置である。
【００１６】
経路機器４は、車両が通行した経路を検出するために、有料道路の各エリア内における各所に配置される。経路機器４は、有料道路における所定位置を通行する車両を検出することで特定の経路を通行する車両を検出する。例えば、経路機器４は、有料道路に設けた所定の経路（通過検知ポイント）を通過する車両に搭載された車載器Ｓと無線通信により通信することで経路を通過する車両を検出する。また、経路機器４は、車載器Ｓとの無線通信によって所定の経路を通過した車両を示す識別情報および通過日時などを取得する。経路機器４の具体例としては、ＤＳＲＣを利用した路車間通信装置や経路ＦＦ（フリーフロー）等で構成される。
【００１７】
関所機器５は、複数のエリア間の接続地点(以下、関所という)に設けられ、この関所を通過する車両を検出する。図１に示す構成例において、関所機器５は、有料道路におけるエリアＡとエリアＢとを連結する場所（関所）を通過する車両を検出するように設置する。例えば、関所機器５は、エリアＡとエリアＢとの間の関所を通行する車両に搭載された車載器Ｓと無線通信により通信する。関所機器５は、車載器Ｓとの無線通信によってエリア間を移動する車両および通過日時などを検出する。関所機器５の具体例としては、ＤＳＲＣを利用した路車間通信装置や関所ＦＦ等で構成される。
【００１８】
各エリア管理装置１Ａ（１Ｂ）は、隣接するエリアのエリア管理装置１Ｂ（１Ａ）と通信する機能を有する。また、各エリア管理装置１Ａ（１Ｂ）は、それぞれが対応するエリアＡ（Ｂ）内にある入口料金所機器２、出口料金所機器３および経路機器４と通信し、入場情報、出場情報および通過経路情報を取得する。また、エリア管理装置１Ａ（１Ｂ）は、関所を通過する車両を検知する関所機器５と通信する機能も有する。
【００１９】
次に、第１実施形態に係る料金処理システムを構成する各装置における制御系の構成について説明する。  
図２は、第１実施形態に係る料金処理システムにおけるエリア管理装置１（１Ａ、１Ｂ）、入口料金所機器２、出口料金所機器３、経路機器４および関所機器５の制御系の構成例を示すブロック図である。  
図２に示すように、エリア管理装置１は、制御部１１、記憶部１２、機器通信部１３およびエリア間通信部１４を有する。エリア管理装置１は、例えば、汎用のサーバ装置などによって構成される。なお、図２に示す例では、エリア管理装置１Ａの構成として図示しているが、他のエリアのエリア管理装置（エリアＢのエリア管理装置１Ｂ）もエリア管理装置１Ａと同様な構成を有するものとする。
【００２０】
制御部１１は、当該エリア管理装置１における制御及びデータ処理などを司る制御ユニットである。制御部１１は、ＣＰＵ、メモリおよびインターフェースなどを有する。ＣＰＵは、プログラムを実行することにより各種の処理機能を実現するプロセッサである。ＣＰＵは、インターフェースなどを介してエリア管理装置１を構成する各部に接続される。メモリは、ＣＰＵが実行するプログラムを記憶する不揮発性メモリ、一時的にデータを保持する揮発性メモリ、および、設定データなどを保存する書換え可能な不揮発性メモリなどの各種のメモリを含む。すなわち、制御部１１は、ＣＰＵがメモリに記憶されたプログラムを実行することにより各部を制御およびデータ処理を実行する。
【００２１】
記憶部１２は、インメモリ等の読み出しや書込みが高速に行える記憶媒体を含む。記憶部１２は、ＨＤＤ或はＳＳＤなどの大容量の記憶装置で構成されても良い 。記憶部１２は、当該料金処理システムに関わる各種のデータを記憶する。例えば、記憶部１２は、入口料金所機器２、出口料金所機器３、経路機器４、関所機器５、および、他のエリア管理装置１から収集した情報などを記憶する。また、記憶部１２は、各機器から取得した情報を車両の識別情報（カードＩＤ、車載器ＩＤ）に対応づけて記憶する。
【００２２】
また、第１実施形態において、記憶部１２は、基本テーブルＴ１と変動課金テーブルＴ２Ａとを具備する。基本テーブルＴ１は、当該有料道路網における入口と出口とに応じた通行料金（基本料金）を示す情報を格納する記憶領域である。基本テーブルＴ１は、有料道路全体における各入口と各出口との組み合わせに対して同一発着で同一料金となるような基本料金を示す情報を格納する。
【００２３】
変動課金テーブルＴ２Ａは、エリアＡにおける各経路または経路と通過時間などの条件に応じて変動させる課金額（変動額、割引額）を示す情報を格納する記憶領域である。第１実施形態において、各エリア管理装置１Ａ、１Ｂは、エリアごとに設けられるエリア別の変動課金テーブルＴ１Ａ、Ｔ１Ｂを具備するものとする。例えば、変動課金テーブルＴ２Ａは、エリアＡにおける各経路の混雑状況や混雑が予想される状況に応じて各経路に適用される変動額が格納される。なお、各経路の混雑度あるいは混雑度に応じた変動額の設定情報は、各経路機器から収集する情報などから判定するようにしても良いし、外部のサーバから取得するものであっても良いし、接続するターミナル端末から手動で入力を行うものであっても良い。
【００２４】
機器通信部１３は、外部の機器と通信するための通信インターフェースである。本実施形態において、機器通信部１３は、入口料金所機器２、出口料金所機器３、経路機器４、および、関所機器５と通信するためのインターフェースであるものとする。なお、機器通信部１３は、各種の機器に対応した複数種類の通信インターフェースを含むものであっても良い。  
エリア間通信部１４は、他のエリアのエリア管理装置と通信するための通信インターフェースである。本実施形態において、エリア間通信部１４は、関所を介して道路が接続される隣接するエリアに設けられたエリア管理装置と通信するように構成される。
【００２５】
入口料金所機器２は、図２に示すように、制御部２１、上位通信部２２、車両通信部２３、発進制御器２４、および、路側表示器２５などを有する。  
制御部２１は、入口料金所機器２全体の制御及びデータ処理などを行う制御ユニットである。制御部２１は、ＣＰＵ、メモリおよびインターフェースなどを有する。ＣＰＵは、プログラムを実行することにより各種の処理機能を実現するプロセッサである。ＣＰＵは、インターフェースなどを介して入口料金所機器２を構成する各部に接続される。メモリは、ＣＰＵが実行するプログラムを記憶する不揮発性メモリ、一時的にデータを保持する揮発性メモリ、および、設定データなどを保存する書換え可能な不揮発性メモリなどの各種のメモリを含む。
【００２６】
上位通信部２２は、上位装置としてのエリア管理装置１と通信するための通信インターフェースである。上位通信部２２は、無線通信でエリア管理装置１と通信するものであっても良いし、通信回線を介してエリア管理装置１と通信するものであっても良い。  
車両通信部２３は、車両に搭載する車載器Ｓと無線通信するインターフェースである。車両通信部２３は、入口料金所において入口料金所機器２に接近する車両（入場しようとする車両）に搭載された車載器Ｓと無線通信する。車両通信部２３は、無線通信する車載器ＳからＥＴＣカードＣのカードＩＤ、車載器ＩＤおよび車両の車種を示す車種情報などの情報を取得する。
【００２７】
発進制御器２４は、入口料金所からの車両の有料道路への入場を制御する。発進制御器２４は、入口料金所のレーンに設けた発進制御バーの開閉を制御する。例えば、発進制御器２４は、車両を一旦停止させる場合あるいは車両の通行（入場）を不可とする場合、発進制御バーを閉じて車両の通行を阻止する。また、発進制御器２４は、車両の通行（入場）を許可する場合、発進制御バーを開放して車両の通過を許可する。なお、料金所での渋滞緩和を優先して、発進制御器２４に発進バーを設けないようにしても良い。
【００２８】
路側表示器２５は、入口料金所を通行する車両に乗車する利用者に対して案内などを表示する。路側表示器２５は、入口料金所のレーンを通行する車両に向けて設置される。
【００２９】
出口料金所機器３は、図２に示すように、制御部３１、上位通信部３２、車両通信部３３、発進制御器３４、および、路側表示器３５などを有する。  
制御部３１は、出口料金所機器３全体の制御及びデータ処理などを行う制御ユニットである。制御部３１は、ＣＰＵ、メモリおよびインターフェースなどを有する。ＣＰＵは、プログラムを実行することにより各種の処理機能を実現するプロセッサである。ＣＰＵは、インターフェースなどを介して出口料金所機器３を構成する各部に接続される。メモリは、ＣＰＵが実行するプログラムを記憶する不揮発性メモリ、一時的にデータを保持する揮発性メモリ、および、設定データなどを保存する書換え可能な不揮発性メモリなどの各種のメモリを含む。
【００３０】
上位通信部３２は、上位装置としてのエリア管理装置１と通信するための通信インターフェースである。上位通信部３２は、無線通信を行うものであっても良いし、通信回線を介して通信を行うものであっても良い。  
車両通信部３３は、車両に搭載する車載器と無線通信するインターフェースである。車両通信部３３は、出口料金所において出口料金所機器３に接近する車両（出場しようとする車両）に搭載された車載器と無線通信する。車両通信部３３は、無線通信する車載器からＥＴＣカードのカードＩＤ、車載器ＩＤおよび車両の車種を示す車種情報などの情報を取得する。
【００３１】
発進制御器３４は、出口料金所での車両の出場を制御する。発進制御器３４は、出口料金所のレーンに設けた発進制御バーの開閉を制御する。例えば、発進制御器３４は、車両を一時停止させる場合あるいは車両の出場を不可とする場合、発進制御バーを閉じて車両の通行（出場）を阻止する。また、発進制御器３４は、車両の通行（出場）を許可する場合、発進制御バーを開放して車両の通行を許可する。なお、出口料金所での渋滞緩和を優先して、発進バーを設けないようにしても良い。  
路側表示器３５は、出口料金所を通行する車両に乗車する利用者に対して案内などを表示する。路側表示器３５は、出口料金所のレーンを通行する車両に向けて設置される。
【００３２】
経路機器４は、図２に示すように、制御部４１、上位通信部４２および車両通信部４３などを有する。  
制御部４１は、経路機器４全体の制御及びデータ処理などを行う制御ユニットである。制御部４１は、ＣＰＵ、メモリおよびインターフェースなどを有する。ＣＰＵは、プログラムを実行することにより各種の処理機能を実現するプロセッサである。ＣＰＵは、インターフェースなどを介して経路機器４を構成する各部に接続される。メモリは、ＣＰＵが実行するプログラムを記憶する不揮発性メモリ、一時的にデータを保持する揮発性メモリ、および、設定データなどを保存する書換え可能な不揮発性メモリなどの各種のメモリを含む。
【００３３】
上位通信部４２は、上位装置としてのエリア管理装置１と通信するための通信インターフェースである。上位通信部４２は、無線通信でエリア管理装置１と通信するものであっても良いし、通信回線を介してエリア管理装置１と通信するものであっても良い。  
車両通信部４３は、車両に搭載する車載器Ｓと無線通信するインターフェースである。車両通信部４３は、経路機器４を設置した場所を通行する車両に搭載された車載器Ｓと無線通信する。車両通信部４３は、車両に搭載された車載器Ｓと無線通信することで、車載器ＳにセットされたＥＴＣカードＣのカードＩＤ、車載器ＩＤおよび車両の車種を示す車種情報などの情報を取得する。ただし、経路機器４は、所定の経路（区間）を通過した車両および通過日時などを特定できる情報を取得できるものであれば良く、車両通信部４３は特定の経路を通過した車両を示す情報および通過日時などを検知できるものに置き換えても良い。
【００３４】
関所機器５は、図２に示すように、制御部５１、上位通信部５２および車両通信部５３などを有する。  
制御部５１は、関所機器５全体の制御及びデータ処理などを行う制御ユニットである。制御部５１は、ＣＰＵ、メモリおよびインターフェースなどを有する。ＣＰＵは、プログラムを実行することにより各種の処理機能を実現するプロセッサである。ＣＰＵは、インターフェースなどを介して関所機器５を構成する各部に接続される。メモリは、ＣＰＵが実行するプログラムを記憶する不揮発性メモリ、一時的にデータを保持する揮発性メモリ、および、設定データなどを保存する書換え可能な不揮発性メモリなどの各種のメモリを含む。
【００３５】
上位通信部５２は、関所機器５を設けた隣接する各エリアのエリア管理装置１Ａおよび１Ｂと通信するための通信インターフェースである。上位通信部５２は、無線通信で隣接するエリア管理装置１Ａ及び１Ｂと通信するものであっても良いし、通信回線を介してエリア管理装置１Ａ及び１Ｂと通信するものであっても良い。  
車両通信部５３は、関所を通過する車両に搭載する車載器Ｓと無線通信するインターフェースである。車両通信部５３は、関所機器５を設置した場所を通行する車両に搭載された車載器Ｓと無線通信する。車両通信部５３は、車両に搭載された車載器Ｓと無線通信することで、車載器ＳにセットされたＥＴＣカードＣのカードＩＤ、車載器ＩＤおよび車両の車種を示す車種情報などの情報を取得する。
【００３６】
次に、実施形態に係る料金計算に用いる基本テーブルＴ１および変動課金テーブルＴ２（Ｔ２Ａ、Ｔ２Ｂ）の構成例について説明する。  
図３は、基本テーブルＴ１の構成例を示す図である。  
図３に示す構成例は、大型、中型、普通車などの車種ごとに基本テーブルＴ１ａ、Ｔ１ｂ、Ｔ１ｃが設けられる例を示す。図３に示す基本テーブルＴ１では、入口と出口との組み合わせに対して１つの料金が示される。第１の実施形態において、基本テーブルＴ１は、エリア内だけではなく、有料道路全体における各入口から出口までの組合せに対する基本料金を格納するものとする。出口料金所機器３（またはエリア管理装置１）は、車両の車種に応じた基本テーブルＴ１を参照して、入口と出口との組み合わせに対応する料金（基本料金）を決定する。
【００３７】
図４は、変動課金テーブルＴ２（Ｔ２Ａ、Ｔ２Ｂ）の構成例を示す図である。  
図４に示す変動課金テーブルＴ２は、変動ＩＤを対応づけた条件ごとに設定された変動額を示す。変動課金テーブルＴ２において、変動ＩＤを対応づけた条件としては、時間や車種により定められる条件としても良い。変動課金テーブルＴ２は、各経路の混雑状況または混雑予測に応じて適宜更新されるものとする。また、第１実施形態において、変動課金テーブルＴ２は、エリア内での各経路に対する変動額を記憶するエリア別の変動課金テーブルＴ２Ａ、Ｔ２Ｂである。従って、第１実施形態において、エリア管理装置１Ａ、１Ｂは、エリアＡ、Ｂ内における各経路に対する変動額を記憶するエリア別の変動課金テーブルＴ２Ａ、Ｔ２Ｂを参照して通行した経路などに応じた変動額を決定する。
【００３８】
なお、変動課金テーブルＴ２は、車種毎に設けられる構成としても良い。ただし、変動課金テーブルＴ２では、条件として車種（車種を含む条件）を設定することで、車種ごとに変動課金テーブルを設けなくても良く、１つの変動課金テーブルで車種ごとの変動額を判定することができ、全車種に対応する変動課金テーブル全体のデータ量を小さくできる。
【００３９】
図４に示す構成例において、変動課金テーブルＴ２は、変動ＩＤに対応づけて、条件および変動額が記憶される。  
変動ＩＤは、料金に対する変動額を設定する条件ごとに割り当てる識別情報である。変動ＩＤは、ユニークな情報であれば良く、例えば、番号、文字列、文字列と番号とを組み合わせなどである。図４に示す例では、変動ＩＤは、初期値「０００１」から順番にユニークな番号が割り当てられるものとしている。
【００４０】
条件は、変動額が適用される条件を示す情報である。条件は、通過経路情報から判定できるものである。ただし、条件は、通過経路情報、入場情報および出場情報などの組合せによって判定できるものであっても良い。例えば、条件としては、経路機器４が検出可能な経路の通過が設定される。また、条件としては、車両が通過する時間を含むものであっても良い。図４に示す例では、変動ＩＤが「０００１」の条件は、車両が経路ａを通過したことであり、変動ＩＤが「０００２」の条件は、車両が経路ｂを１７：００から１９：００までに通過したことである。
【００４１】
変動額は、料金に対して変動すべき金額を示す情報である。図４に示す例において、変動ＩＤが「０００１」の条件を満たす場合、変動額は−１００円（１００円の減額）であり、変動ＩＤが「０００２」の条件を満たす場合、変動額は−２００円（２００円の減額）である。なお、変動額は、料金を減額する金額だけに限らず、料金を増額する金額であっても良い。また、変動額としては、割引率または割増率などを設定できるようにしても良い。
【００４２】
次に、第１実施形態において各エリアのエリア管理装置１Ａ、１Ｂが各機器から取得する情報について説明する。  
図５は、第１実施形態に係る料金処理システムの運用例を説明するための模式図である。  
図５に示す例では、第１実施形態に係る料金処理システムの各エリア管理装置１Ａ、１Ｂが各路側装置から取得する情報の具体例を模式的に示している。また、図５に示す例では、エリアＡの入口料金所「ＩＣ：Ａ」から入場した車両が、エリアＡの経路ａ、関所、エリアＢの経路ｃを通過した後に、エリアＢの出口料金所「ＩＣ：Ｃ」から出場する場合の例を示している。
【００４３】
まず、車両が入口料金所を通過する場合、入口料金所機器２は、入口料金所に進入する車両に搭載された車載器Ｓと通信し、当該車載器Ｓから取得する情報に基づいて当該車両が入場したことを示す入場情報を作成する。入口料金所機器２は、作成した入場情報をエリア管理装置１へ送信する。図５に示す例において、入口料金所「ＩＣ：Ａ」の入口料金所機器２ａは、入場する車両に搭載されている車載器Ｓと通信し、入場する車両に関する情報を取得する。入口料金所機器２ａは、車載器Ｓから取得する情報に基づいて入場情報Ｄａｔａ１を作成し、作成した入場情報Ｄａｔａ１をエリアＡのエリア管理装置１Ａへ送信する。図５に示す例において、入場情報Ｄａｔａ１は、カードＩＤ、車載器ＩＤ、入口ＩＣ、入場日時および車種などを有する。
【００４４】
カードＩＤは、車両に搭載した車載器ＳにセットされているＥＴＣカードＣの識別情報である。ＥＴＣカードＣは、料金の決済に用いるカードである。入口料金所機器２は、有効なＥＴＣカードＣが車載器Ｓに正常にセットされている場合、当該車両からカードＩＤを取得し、当該車両の入場を許可する。車載器ＩＤは、車両に搭載される車載器Ｓの識別情報である。入口ＩＣは、車両が入場した入口（入口料金所）を示す情報である。入場日時は、入口を通過した日時を示す情報である。車種は、入場する車両の車種を示す情報である。ただし、カードＩＤおよび車載器ＩＤは、課金対象となる車両を特定するための識別情報であるため、課金対象を特定できればカードＩＤまたは車載器ＩＤの何れかを省略しても良い。
【００４５】
一方、各エリア管理装置１は、担当するエリア（自エリア）にある各入口料金所の入口料金所機器２からの入場情報を随時取得する。図５に示す例では、エリア管理装置１Ａは、入口料金所「ＩＣ：Ａ」の入口料金所機器２ａから上述した構成の入場情報Ｄａｔａ１を取得（受信）する。エリア管理装置１Ａは、取得した入場情報Ｄａｔａ１のカードＩＤおよび車載器ＩＤなどの識別情報に対応づけて当該入場情報Ｄａｔａ１に含まれる入口ＩＣ、入場日時および車種などの情報を記憶部１２に記憶する。
【００４６】
次に、経路機器４が通過した車両を検知する場合、経路機器４は、車両が通過したことを示す通過経路情報を作成し、作成した通過経路情報を自エリアのエリア管理装置１へ送信する。図５に示す例において、経路機器４ａは、エリアＡにおける経路ａを通過する車両に搭載されている車載器Ｓと通信し、通過する車両に関する情報を取得する。経路機器４ａは、車載器Ｓから取得する情報に基づいて通過経路情報Ｄａｔａ２を作成し、作成した通過経路情報Ｄａｔａ２をエリアＡのエリア管理装置１Ａへ送信する。これにより、エリア管理装置１Ａは、車両が経路ａを通過したことを示す通過経路情報Ｄａｔａ２を経路機器４から取得する。図５に示す例において、通過経路情報Ｄａｔａ２は、カードＩＤ、車載器ＩＤ、経路情報、通過日時および車種などを含む情報である。
【００４７】
カードＩＤおよび車載器ＩＤは、経路ａを通過した車両を特定するための識別情報であり、入場情報などのカードＩＤおよび車載器ＩＤに対応する情報である。ただし、経路ａを通過した車両が特定できれば、カードＩＤまたは車載器ＩＤの何れかを省略しても良い。通過経路情報Ｄａｔａ２の経路は、車両が通過した経路（通過検知ポイント）が経路ａであることを示す情報である。通過経路情報Ｄａｔａ２の通過日時は、経路ａの通過を検知するための通過検知ポイントを通過した日時を示す情報である。通過経路情報Ｄａｔａ２の車種は、経路ａを通過した車両の車種を示す情報である。ただし、車種は通過検知情報には含まなくても良い。
【００４８】
また、図５に示す例において、エリア管理装置１Ａは、車両が経路ａを通過する場合に経路機器４ａから通過経路情報Ｄａｔａ２を取得（受信）する。経路機器４ａから通過経路情報Ｄａｔａ２を取得すると、エリア管理装置１Ａは、エリアＡ用の変動課金テーブルＴ２Ａから経路ａに応じた変動額（割引額）を引き当てる。経路ａに応じた変動額を引当てると、エリア管理装置１Ａは、引当てた変動額を当該車両の識別情報（カードＩＤまたは車載器ＩＤ）に対応づけた累積変動額として記憶部１２に記憶（または更新）する。なお、エリア管理装置は、変動額の引き当てをエリア跨ぎ情報を受信したタイミングで実行しても良いし、出場情報を受信したタイミングで実行しても良い。
【００４９】
次に、車両が関所機器５を設置した関所を通過する場合、関所機器５は、車両が関所を通過したことを示すエリア跨ぎ情報を作成し、作成したエリア跨ぎ情報をエリア管理装置１Ａへ送信する。エリア跨ぎ情報は、関所を通過して隣接するエリアに移動したことを示す情報である。図５に示す例において、関所機器５は、車両がエリアＡからエリアＢへ移動したことを示すエリア跨ぎ情報Ｄａｔａ３をエリア管理装置１Ａへ送信する。
【００５０】
すなわち、関所機器５は、関所を通過する車両に搭載されている車載器Ｓと通信し、関所を通過する車両に関する情報を取得する。関所機器５は、車載器Ｓから取得する情報に基づいてエリア跨ぎ情報（関所通過情報）Ｄａｔａ３を作成し、作成したエリア跨ぎ情報Ｄａｔａ３をエリアＡのエリア管理装置１Ａへ送信する。これにより、エリア管理装置１Ａは、関所を通過したエリアＡからエリアＢへ移動した車両を示すエリア跨ぎ情報Ｄａｔａ３を関所機器５から取得する。
【００５１】
図５に示す例において、エリア跨ぎ情報Ｄａｔａ３は、カードＩＤ、車載器ＩＤ、関所情報、通過日時および車種などを含む情報である。  
カードＩＤおよび車載器ＩＤは、関所を通過した車両を特定するための識別情報であり、入場情報および通過経路情報に含まれるカードＩＤおよび車載器ＩＤに対応する情報である。ただし、関所を通過した車両が特定できれば、カードＩＤまたは車載器ＩＤの何れかを省略しても良い。関所情報は、車両が通過した関所を示す情報である。例えば、関所情報は、関所に設けられている関所機器５を特定する情報である。また、関所情報は、関所を通過して移動するエリアを示す情報であっても良い。エリア跨ぎ情報Ｄａｔａ３の通過日時は、関所を通過した日時を示す情報である。車種は、関所を通過した車両の車種を示す情報である。ただし、車種はエリア跨ぎ情報には含まなくても良い。  
なお、関所機器５は、エリア跨ぎ情報Ｄａｔａ３を移動先のエリアＢのエリア管理装置１Ｂに送信するようにしても良いし、移動元のエリアＡのエリア管理装置１Ａと移動先のエリアＢのエリア管理装置１Ｂとの両方に送信しても良い。
【００５２】
エリア管理装置１Ａは、関所に設置した関所機器５からエリア跨ぎ情報Ｄａｔａ３を取得（受信）と、関所を通過した車両に対する変動額に関する情報を移動先のエリアＢのエリア管理装置１Ｂへ引き継ぐための引継情報Ｄａｔａ４を作成する。引継情報Ｄａｔａ４を作成すると、エリア管理装置１Ａは、当該車両の移動先であるエリアＢのエリア管理装置１Ｂへ当該引継情報を送信する。
【００５３】
なお、引継情報Ｄａｔａ４は、移動先のエリア管理装置からの要求に応じて移動元のエリア管理装置から送信するようにしても良い。例えば、関所機器５がエリア跨ぎ情報Ｄａｔａ３を移動先のエリア管理装置１Ｂへ送信するものとすれば、エリア管理装置１Ｂは、移動元のエリアＡのエリア管理装置１Ａに対して引継情報を要求し、エリア管理装置１Ａからエリア跨ぎ情報Ｄａｔａ３を取得するようにできる。
【００５４】
引継情報Ｄａｔａ４は、車両の移動元のエリアを管理するエリア管理装置１Ａから当該車両の移動先のエリアを管理するエリア管理装置１Ｂへ送信される情報である。引継情報Ｄａｔａ４は、エリア間を移動した車両に対する変動額に関する情報であり、エリア管理装置１Ａが保持する情報をエリア管理装置１Ｂへ引き継ぐための情報である。第１の実施形態において、引継情報Ｄａｔａ４は、入口を示す情報と入口から関所へ移動するまでの間に通行した全経路に応じた変動額を合計した累積変動額を示す情報とを含む情報である。
【００５５】
例えば、第１実施形態において、引継情報Ｄａｔａ４は、カードＩＤ、車載器ＩＤ、入場情報、累積変動額および車種などを含む情報である。カードＩＤおよび車載器ＩＤは、関所を超えてエリアＡからエリアＢへ移動した車両を特定するための識別情報である。関所を超えてエリア間を移動した車両が特定できれば、カードＩＤまたは車載器ＩＤの何れかを省略しても良い。入場情報は、車両が有料道路に入場した入口を示す情報である。累積変動額は、入口から当該関所へ移動するまでに通行した全経路に応じた累積変動額である。車種は、関所を超えてエリアＡからエリアＢへ移動した車両の車種を示す情報である。ただし、車種はエリア跨ぎ情報には含まなくても良い。
【００５６】
関所からエリアＢへ進入した後、車両は、エリアＢにおける各経路機器４によって各経路の通過が検知される。エリアＢ内の経路機器４は、各経路に対応する通過検知ポイントにおいて通過する車両を検知すると、車両が通過したことを示す通過経路情報を作成し、作成した通過経路情報をエリア管理装置１Ｂへ送信する。図５に示す例において、エリア管理装置１Ｂは、エリアＢにおける経路ｃを車両が通過する場合に経路機器４ｃから通過経路情報Ｄａｔａ５を取得する。
【００５７】
図５に示す例において、経路機器４ｃは、経路ｃを通過する車両に搭載されている車載器Ｓと通信し、通過する車両に関する情報を取得する。経路機器４ｃは、車載器Ｓから取得する情報に基づいて通過経路情報Ｄａｔａ５を作成し、作成した通過経路情報Ｄａｔａ５をエリアＢのエリア管理装置１Ｂへ送信する。通過経路情報Ｄａｔａ５は、上述した通過経路情報Ｄａｔａ２と同様なフォーマット（構成）を有し、カードＩＤ、車載器ＩＤ、経路情報、通過日時および車種などを含む情報である。
【００５８】
エリア管理装置１Ｂは、エリアＡからエリアＢへ移動した車両の通過経路情報Ｄａｔａ５を受信すると、通過経路情報Ｄａｔａ５をエリア管理装置１Ａから取得した引継情報Ｄａｔａ４に対応づけて記憶する。これにより、エリアＢ（移動先のエリア）のエリア管理装置１Ｂは、引継情報Ｄａｔａ４に含まれるエリアＢへ移動する前までの累積変動額と当該エリアＢ内で通過した経路に応じた変動額とに基づいてエリアＢを通行する車両に対する累積変動額を管理できる。
【００５９】
次に、車両が出口料金所に進入すると、出口料金所機器３は、車両に搭載されている車載器Ｓと通信して車両に関する情報を取得して出場情報を作成する。出口料金所機器３は、作成した出場情報をエリア管理装置へ送信する。第１実施形態では、出口料金所機器３は、出場情報に応じてエリア管理装置から出場する車両に課する通行料金を示す情報を取得する。すなわち、出口料金所機器３から出場情報を受信した場合、エリア管理装置１は、当該車両に課する通行料金を算出し、算出した通行料金を示す請求金額情報を出口料金所機器３へ送信する。
【００６０】
図５に示す例において、出口料金所「ＩＣ：Ｃ」の出口料金所機器３ｃは、出場する車両に関する出場情報Ｄａｔａ６を作成し、出場情報Ｄａｔａ６をエリアＢのエリア管理装置１Ｂへ送信する。エリア管理装置１Ｂは、出口料金所機器３ｃからの出場情報Ｄａｔａ６を取得し、出場情報Ｄａｔａ６に対応する請求金額情報Ｄａｔａ７を作成し、請求金額情報Ｄａｔａ７を出口料金所機器３ｃへ返信する。
【００６１】
図５に示す例において、出場情報Ｄａｔａ６は、カードＩＤ、車載器ＩＤ、出口ＩＣ、出場日時および車種などを含む情報である。カードＩＤおよび車載器ＩＤは、出口料金所に進入した課金対象となる車両を特定するための識別情報である。ただし、課金対象となる車両が特定できれば、カードＩＤまたは車載器ＩＤの何れかを省略しても良い。出口ＩＣは、車両が進入した出口料金所（出口）を示す情報である。出場日時は、出口料金所に進入してきた日時を示す情報である。車種は、車種を示す情報である。ただし、出場情報には、車種は含まなくても良い。
【００６２】
また、請求金額情報Ｄａｔａ７は、カードＩＤ、車載器ＩＤおよび通行料金などを含む情報である。カードＩＤおよび車載器ＩＤは、出場情報Ｄａｔａ６で特定される課金対象となる車両を特定するための識別情報である。ただし、車両が特定できれば、カードＩＤまたは車載器ＩＤの何れかを省略しても良い。通行料金は、当該車両が有料道路において通過した全ての経路に応じて利用者に請求する金額である。
【００６３】
エリア管理装置１Ｂは、出場情報を受信すると、受信した出場情報の車両に対応する入場情報を特定して入口と出口との組み合わせから基本テーブルＴ１に基づいて基本料金を算出する。さらに、エリア管理装置１Ｂは、受信した出場情報の車両が有料道路において通過した全エリアでの全経路に応じた累積変動額を特定し、基本料金に累積変動額を適用して通行料金を算出する。エリア管理装置１Ｂは、算出した通行料金を示す請求金額情報Ｄａｔａ７を作成し、作成した請求金額情報Ｄａｔａ７を出場情報の送信元である出口料金所機器３へ送信する。これにより、出口料金所の出口料金所機器３は、エリア管理装置１Ｂから取得する請求金額情報Ｄａｔａ７に含まれる通行料金に基づいて当該車両に対する出場処理を実行する。
【００６４】
次に、第１実施形態に係る料金処理システムにおける各機器の動作について説明する。
まず、第１実施形態に係る料金処理システムにおけるエリア管理装置１の動作について説明する。  
図６は、第１実施形態に係る料金処理システムにおけるエリア管理装置１の動作例を説明するためのフローチャートである。  
上述したように、第１実施形態において、各エリア管理装置１は、エリア内における入口料金所機器２からの入場情報、経路機器４からの通過経路情報、関所機器５からのエリア跨ぎ情報、および、出口料金所機器３からの出場情報を随時受信する。また、エリア管理装置１は、関所を通過して自エリア内に移動してきた車両に対する累積変動額を示す情報を含む引継情報を移動元のエリアのエリア管理装置から受信する。
【００６５】
すなわち、入口料金所機器２からの入場情報を機器通信部１３により受信した場合（ＳＴ１１、ＹＥＳ）、エリア管理装置１の制御部１１は、記憶部１２に入場情報を記憶する（ＳＴ１２）。入口料金所機器２から受信する入場情報は、カードＩＤまたは車載器ＩＤで検索できるように、カードＩＤまたは車載器ＩＤに対応づけた情報として記憶部１２に記憶される。
【００６６】
経路機器４からの通過経路情報を機器通信部１３により受信した場合（ＳＴ１３、ＹＥＳ）、エリア管理装置１の制御部１１は、受信した通過経路情報から当該車両が通過した経路を特定し、通過した経路に対して設定される変動額を当該エリアの変動課金テーブルＴ２Ａ（Ｔ２Ｂ）から引当てる（ＳＴ１４）。ただし、ＳＴ１４の処理は、通過経路情報を受信する度に実行するのではなく、後述するＳＴ１６の処理またはＳＴ２１の処理の後にまとめて実行するようにしても良い。通過した経路に変動額が設定されている場合、制御部１１は、当該車両に対する累積変動額を計算し、計算した累積変動額を記憶部１２に記憶（または更新）する（ＳＴ１５）。
【００６７】
例えば、制御部１１は、当該通過経路情報に含まれる車両の識別情報（カードＩＤまたは車載器ＩＤ）に基づいて当該車両のこれまでの累積変動額を記憶部１２から検索する。これまでの累積変動額が記憶部１２に記憶されていれば、制御部１１は、これまでの累積変動額に通過した経路に応じた変動額を加算し、累積変動額を更新する。また、これまでの累積変動額が記憶部１２に記憶されていなければ、制御部１１は、通過した経路に応じた変動額を累積変動額として当該車両の識別情報に対応づけて記憶する。なお、受信した通過経路情報が示す通過した経路に変動額が設定されていない場合、制御部１１は、ＳＴ１５の処理を省略して良い。
【００６８】
また、関所機器５からのエリア跨ぎ情報を機器通信部１３より受信した場合（ＳＴ１６、ＹＥＳ）、エリア管理装置１の制御部１１は、受信したエリア跨ぎ情報に含まれる識別情報で特定される車両に関する変動額に関する情報を次のエリアへ引き継ぐための引継情報を作成する（ＳＴ１６）。上述したように、第１の実施形態において、引継情報は、変動額に関する情報として、当該車両の入場情報と自エリア内での通過経路に応じた変動額を含むこれまでの累積変動額とを含む情報である。
【００６９】
すなわち、制御部１１は、当該エリア跨ぎ情報に含まれる車両の識別情報（カードＩＤまたは車載器ＩＤ）に基づいて当該車両の入場情報と当該車両に対する累積変動額とを記憶部１２から検索する。当該車両に対する累積変動額が記憶部１２に記憶されていれば、制御部１１は、当該車両の識別情報と入場情報と累積変動額とを含む引継情報を作成する。さらに、制御部１１は、エリア跨ぎ情報に基づいて移動先のエリアを担当するエリア管理装置を特定し、移動先のエリアのエリア管理装置へ作成した引継情報を送信する（ＳＴ１８）。
【００７０】
また、他のエリアのエリア管理装置から引継情報を受信した場合（ＳＴ１９、ＹＥＳ）、エリア管理装置１の制御部１１は、受信した引継情報に含まれる入場情報と累積変動額とを車両の識別情報に対応づけて記憶部１２に記憶する（ＳＴ２０）。これにより、制御部１１は、入場情報と移動元のエリアで通過した経路に応じた変動額を含む累積変動額とをカードＩＤまたは車載器ＩＤなどの識別情報で検索できる情報として記憶部１２に記憶する。
【００７１】
また、出口料金所機器３から出場情報を機器通信部１３により受信した場合（ＳＴ２１、ＹＥＳ）、エリア管理装置１の制御部１１は、受信した出場情報に応じて通行料金を算出するために、記憶部１２において出場情報に含まれる識別情報で特定される車両の入場情報および累積変動額を検索する（ＳＴ２２）。
【００７２】
当該出場情報に含まれる識別情報の車両の入場情報を特定すると、制御部１１は、特定した入場情報が示す入口と受信した出場情報が示す出口との組み合わせに応じた基本料金を基本テーブルＴ１から引当てる（ＳＴ２３）。基本テーブルＴ１は、有料道路における全ての入口と出口との組み合わせに対する基本料金を示すものである。これにより、制御部１１は、基本テーブルＴ１を用いて入口と出口との組み合わせに対する基本料金を引き当てることで経路に依らない基本料金を簡単に特定できる。
【００７３】
当該出場情報に含まれる識別情報の車両に対する累積変動額を特定すると、制御部１１は、特定した累積変動額を基本料金に適用した合計の金額（通行料金）を算出する（ＳＴ２４）。累積変動額は、各エリアのエリア管理装置１Ａ、１Ｂが各エリアで通行した経路に応じた変動額を変動課金テーブルＴ２Ａ、Ｔ２Ｂから引当て、それらの変動額を総合計した金額である。すなわち、第１実施形態は、各エリアのエリア管理装置が算出する累積変動額を移動先のエリアのエリア管理装置へ引き継ぐ。これにより、出口料金所のエリアのエリア管理装置は、他のエリアで通過した経路も含めた全ての変動額を累計した累計変動額を簡易に決めることができ、基本料金と累積変動額とに基づく通行料金も迅速に決定できる。
【００７４】
基本料金と累計変動額とに基づく通行料金が決定すると、制御部１１は、受信した出場情報に含まれる識別情報の車両に課する通行料金を示す請求金額情報を作成し、作成した請求金額情報を出場情報の送信元である出口料金所機器３へ送信する（ＳＴ２５）。これにより、出口料金所のエリアのエリア管理装置は、他のエリアで通過した経路も含めた全ての変動額を累計した累計変動額を簡易に決めることができる。また、エリア管理装置は、基本テーブルから引当てる基本料金と累積変動額とに基づく通行料金も迅速に決定でき、決定した通行料金を出口料金所機器へ提供できる。
【００７５】
以上の処理によって、エリア管理装置は、担当するエリア内での入場情報と経路に応じた累積変動額を管理しながら、関所機器からのエリア跨ぎ情報に応じて車両の移動先のエリアのエリア管理装置へ入場情報と累積変動額とを示す引継情報を提供する。さらに、エリア管理装置は、出口料金所機器からの出場情報に応じて出場する車両の入場情報と累積変動額とを特定し、入口と出口との組み合わせから決まる基本料金に累積変動額を適用した通行料金を出口料金所機器へ提供する。
【００７６】
次に、第１実施形態に係る料金処理システムにおける関所機器５の動作について説明する。  
図７は、第１実施形態に係る料金処理システムにおける関所機器５の動作例を説明するためのフローチャートである。  
関所機器５は、第１のエリアと第２のエリア（例えば、エリアＡとエリアＢ）を連結する経路上に設けた関所を通過する車両を検出するように設置される。関所機器５の制御部５１は、関所を通過する車両を検知すると（ＳＴ３１、ＹＥＳ）、車両通信部５３によって関所を通過する車両が搭載する車載器Ｓと通信を実行する（ＳＴ３２）。
【００７７】
制御部５１は、車両通信部５３によって関所を通過する車両に搭載された車載器Ｓとの通信が確立すると、当該車載器Ｓからエリア跨ぎ情報に必要な情報を取得する。車載器Ｓから情報を取得すると、制御部５１は、車載器Ｓから取得した情報に基づいてエリア跨ぎ情報を作成する（ＳＴ３３）。例えば、制御部５１は、車両通信部５３により通信する車載器ＳからカードＩＤ及び車載器ＩＤなどを取得し、図５に示すようなエリア跨ぎ情報を作成する。
【００７８】
関所を通過する車両の車載器Ｓから取得した情報に基づくエリア跨ぎ情報を作成すると、制御部５１は、作成したエリア跨ぎ情報をエリア管理装置１へ送信する（ＳＴ３４）。ここでは、制御部５１は、作成したエリア跨ぎ情報を移動元のエリアのエリア管理装置１へ送信するものとする。ただし、関所機器５は、エリア跨ぎ情報を移動先のエリアのエリア管理装置１へ送信しても良いし、移動元のエリアのエリア管理装置と移動先のエリアのエリア管理装置との両方に送信しても良い。
【００７９】
次に、第１実施形態に係る料金処理システムにおける出口料金所機器３の動作について説明する。  
図８は、第１実施形態に係る料金処理システムにおける出口料金所機器３の動作例を説明するためのフローチャートである。  
出口料金所機器３の制御部３１は、出口料金所に進入する車両を検知すると（ＳＴ５１）、車両通信部３３によって当該車両に搭載されている車載器Ｓとの通信を開始する。車載器Ｓとの通信が確立すると、制御部３１は、車載器Ｓとの通信によって当該車両に関する各種の情報を取得する（ＳＴ５２）。例えば、第１実施形態において、制御部３１は、カードＩＤおよび車載器ＩＤなどの識別情報および車種を示す情報などの情報を車載器Ｓから取得する。
【００８０】
車載器Ｓから車両を特定するための識別情報（カードＩＤ、車載器ＩＤ）を取得すると、制御部３１は、取得した識別情報を含む出場情報を作成し、当該出口料金所を含むエリアのエリア管理装置１へ作成した出場情報を送信する（ＳＴ５３）。出場情報をエリア管理装置１へ送信した後、制御部３１は、エリア管理装置１からの当該車両の通行料金を示す請求金額情報の受信待ちの状態となる。
【００８１】
エリア管理装置１から通行料金を示す請求金額情報を受信すると、制御部３１は、取得した請求金額情報が示す通行料金を路側表示器３５に表示し（ＳＴ５５）、発進制御器３４により当該車両の出場を許可する（ＳＴ５６）。ここで、制御部３１は、車両に搭載される車載器ＳにセットされているＥＴＣカードＣに出場情報を書込むようにしても良い。通行料金が確定して当該車両の出場を許可すると、制御部３１は、確定した通行料金を当該ＥＴＣカードＣで精算する処理を行い、当該車両に対する出場処理を終了する。
【００８２】
以上のように、第１実施形態によれば、各エリア管理装置１は、担当するエリアにおける経路別の混雑度などに基づく経路に応じた変動額を示すエリア別の変動課金テーブルと入口と出口との組み合わせに応じた基本料金を示す基本テーブルとを具備し、経路機器から通過経路情報を受信するごとにエリア別の変動課金テーブルから経路に応じた変動額を引き当て各車両に対する累積変動額を管理する。車両が他のエリアへ移動する場合、移動元のエリアのエリア管理装置は、移動先のエリア管理装置へ移動した車両の入場情報と当該車両に対する累積変動額を示す引継情報を送信する。移動先のエリア管理装置は、移動元のエリア管理装置から引き継いだ累積変動額に、自エリア内での通過経路に応じた変動額を加えていくことにより累積変動額を更新する。さらに、各エリア管理装置１は、出口料金所機器からの出場情報に応じて基本テーブルから引き当てる基本料金に累積変動額を適用することによって通行料金を算出し、算出した通行料金を当該出口料金所機器へ送信する。
【００８３】
また、エリア別の変動課金テーブルから経路に応じた変動額を引き当る処理は、エリア管理装置が経路機器から通過経路情報を受信するごと実行する形態に限定されるものでない。エリア管理装置は、経路機器からの通過経路情報を蓄積しておき、車両が別エリアへの移動する場合または出場する場合に一括して各経路に応じた変動額を引き当る処理を行うようにしても良い。
【００８４】
上述した第１実施形態に係る料金処理システムによれば、各エリアのエリア管理装置間で累積変動額を引き継ぎながら自エリア内での変動額を含む累積変動額を適用した通行料金を算出することができ、広大な地域にまたがる大規模な有料道路において経路別の混雑度などに基づいて設定される経路に応じた変動額を適用した通行料金の処理を円滑に行うことができる。また、第１実施形態に係る料金処理システムの各エリア管理装置は、エリア内の経路に対する変動額を示すエリア別の変動課金テーブルを保持することで効率良く変動額の引当を行うことができ、処理を高速化できる。さらに、第１実施形態に係る料金処理システムでは、各エリア管理装置がエリア間を移動した車両の累積変動額を送受信するため、大量のデータをエリア間で転送する必要が無く、通信データ量を少なくでき、エリア間での通信負荷を軽減できる。
【００８５】
（第１実施形態における第１変形例）
上述した第１実施形態では、各エリア管理装置が具備する変動課金テーブルが、エリア別の変動課金テーブルであったが、エリア管理装置有料道路全体（全てのエリア）の各経路に対する変動額を示す共通の変動課金テーブルとしても良い。
【００８６】
第１実施形態の第１変形例は、上述した第１実施形態に係る料金処理システムにおいて、エリア管理装置が具備する変動課金テーブルを全エリアに対応する共通の変動課金テーブルに置き換えたものについて説明する。
【００８７】
図９は、第１実施形態の第１変形例に係る料金処理システムの運用例を説明するための模式図である。  
図９に示すように、第１実施形態の第１変形例に係る料金処理システムは、上述した図２乃至図５に示すような第１実施形態に係る料金処理システムにおいて各エリア管理装置が具備する変動課金テーブルＴ２Ａ、Ｔ２Ｂを全エリアに対応する共通の変動課金テーブルＴ２に置き換えた構成を具備するものである。このため、第１実施形態の第１変形例としては、変動課金テーブル以外の構成についての詳細な説明を省略する。また、各エリア管理装置１（１Ａ、１Ｂ）が実施する処理についても、変動額を引き当てるテーブルを共通の変動課金テーブルＴ２とする以外は上述した第１実施形態と同様な処理で実現できるため、詳細な説明を省略するものとする。
【００８８】
図９に示す構成において、共通の変動課金テーブルＴ２は、全エリアにおける各経路に対して設定された変動額を示すテーブルである。共通の変動課金テーブルＴ２は、全てのエリアにおける全ての経路に対する変動額を格納するため、エリア別の変動課金テーブルＴ２Ａ、Ｔ２Ｂに比べてデータ量が多くなるが、エリアごとに作成したり更新したりする必要がなく、有料道路全体における全ての経路に応じた変動額を一元的に管理できる。
【００８９】
（第１実施形態における第２変形例）
上述した第１実施形態の第1変形例では、各エリア管理装置が累積変動額を更新していき、移動先のエリアのエリア管理装置へ累積変動額を引き継ぐようにした。各エリア管理装置が通過した経路を示す経路情報を蓄積していき、移動先のエリアのエリア管理装置へ経路情報を引き継ぐようにしても良い。
【００９０】
第１実施形態の第２変形例としては、上述した第１実施形態に係る料金処理システムにおいてエリア管理装置が累積変動額ではなく経路情報を移動先のエリアのエリア管理装置へ送信するものについて説明する。
【００９１】
図１０は、第１実施形態の第２変形例に係る料金処理システムの運用例を説明するための模式図である。  
図１０に示すように、第１実施形態の第２変形例に係る料金処理システムは、上述した図２乃至図５に示す構成において変動課金テーブルを全エリアに対応する共通の変動課金テーブルＴ２に置き換えた構成を有する。共通の変動課金テーブルＴ２については第１実施形態の第１変形例において説明したため、第１実施形態の第２変形例では構成についての詳細な説明は省略するものとする。
【００９２】
図１０に示す例において、エリア管理装置１Ａは、エリア内の各機器から取得する情報を記憶部１２に記憶する。例えば、エリア管理装置１Ａは、「ＩＣ：Ａ」の入口料金所の入口料金所機器２ａからの入場情報を受信すると、車両の識別情報に対応づけて入口、入場日時および車種などを含む入場情報を記憶部１２に記憶する。エリア管理装置１Ａは、経路機器４ａからの通過経路情報を受信すると、車両の識別情報に対応づけて経路、通過日時および車種などの経路情報を記憶部１２に記憶する。エリア管理装置１Ａは、関所機器５からのエリア跨ぎ情報を受信すると、受信したエリア跨ぎ情報に含まれる車両の識別情報に対応する入場情報と全ての経路情報とを記憶部１２から抽出する。エリア管理装置１Ａは、車両の識別情報に対応する入場情報および全経路情報を含む引継情報Ｄａｔａ４´を移動先のエリアＢのエリア管理装置１Ｂへ送信する。
【００９３】
エリア管理装置１Ｂは、エリア管理装置１Ａからの引継情報に含まれる入場情報と全経路情報とを車両の識別情報に対応づけて記憶部１２に記憶する。エリア管理装置１Ｂは、経路機器４ｃから通過経路情報を受信すると、車両の識別情報に対応づけて経路、通過日時および車種などの経路情報を記憶部１２に記憶する。エリア管理装置１Ｂは、出口料金所機器３ｃから出場情報を受信すると、受信した出場情報に含まれる車両の識別情報に対応する入場情報と全ての経路情報（前エリアまでの全経路と自エリアの全経路）とを記憶部１２から抽出する。エリア管理装置１Ｂは、出場情報および入場情報に基づく基本料金を基本テーブルＴ１から引当て、全ての経路情報に応じた変動額を共通の変動課金テーブルＴ２から引当てる。エリア管理装置１Ｂは、基本料金と全ての変動額とによって通行料金を計算し、計算した通行料金を出口料金所機器３ｃへ送信する。
【００９４】
次に、第１実施形態の第２変形例に係る料金処理システムにおけるエリア管理装置１の動作について説明する。  
図１１は、第１実施形態の第２変形例に係る料金処理システムにおけるエリア管理装置１の動作例を説明するためのフローチャートである。  
上述したように、第１実施形態の第２変形例において、各エリア管理装置１は、エリア内における入口料金所機器２からの入場情報、経路機器４からの通過経路情報、関所機器５からのエリア跨ぎ情報、および、出口料金所機器３からの出場情報を随時受信する。また、エリア管理装置１は、関所を通過してエリア内に移動してきた車両に関する変動額に関する情報として、当該車両がこれまでに通行した全ての経路を示す情報を含む引継情報を移動元のエリアのエリア管理装置から受信する。
【００９５】
すなわち、入口料金所機器２からの入場情報を受信した場合（ＳＴ１７１、ＹＥＳ）、エリア管理装置１の制御部１１は、記憶部１２に入場情報を記憶する（ＳＴ１７２）。制御部１１は、入口料金所機器２から受信する入場情報をカードＩＤおよび車載器ＩＤなどの車両の識別情報で検索できるように、カードＩＤおよび車載器ＩＤなどの車両の識別情報に対応づけて入口、入場日時および車種などの情報を入場情報として記憶部１２に記憶する。
【００９６】
経路機器４からの通過経路情報を受信した場合（ＳＴ１７３、ＹＥＳ）、エリア管理装置１の制御部１１は、受信した通過経路情報を記憶部１２に記憶する（ＳＴ１７４）。制御部１１は、経路機器４から受信する通過経路情報をカードＩＤおよび車載器ＩＤなどの車両の識別情報で検索できるように、カードＩＤおよび車載器ＩＤなどの車両の識別情報に対応づけて、経路、通過日時および車種などの情報を経路情報として記憶部１２に記憶する。また、制御部１１は、通過経路情報における車両の識別情報と一致する入場情報に対応づけて経路情報を記憶部１２に記憶するようにしても良い。
【００９７】
また、関所機器５からのエリア跨ぎ情報を受信した場合（ＳＴ１７５、ＹＥＳ）、エリア管理装置１の制御部１１は、受信したエリア跨ぎ情報に含まれる識別情報で特定される車両のこれまでの全経路情報を次のエリアへ引き継ぐための引継情報を作成する（ＳＴ１７６）。上述したように、第１実施形態の第２変形例では、引継情報は、当該車両に対する入場情報とこれまでに通過した全ての経路を示す全経路情報とを移動先のエリアのエリア管理装置へ通知する（引き継ぐ）情報である。
【００９８】
制御部１１は、当該エリア跨ぎ情報に含まれる車両の識別情報（カードＩＤまたは車載器ＩＤ）に基づいて当該車両の入場情報と当該車両のこれまでの全ての経路情報とを記憶部１２から検索する。当該車両に対する入場情報とこれまでの全ての経路情報とを抽出すると、制御部１１は、当該車両の識別情報と入場情報と全ての経路情報とを含む引継情報を作成する。制御部１１は、エリア跨ぎ情報に基づいて移動先のエリアを担当するエリア管理装置を特定し、移動先のエリアのエリア管理装置へ作成した引継情報を送信する（ＳＴ１７７）。
【００９９】
また、他のエリアのエリア管理装置から引継情報を受信した場合（ＳＴ１７８、ＹＥＳ）、エリア管理装置１の制御部１１は、受信した引継情報に含まれる入口を示す入場情報と全ての経路を示す全経路情報とを車両の識別情報に対応づけて記憶部１２に記憶する（ＳＴ１７９）。
【０１００】
また、出口料金所機器３から出場情報を機器通信部１３により受信した場合（ＳＴ１８０、ＹＥＳ）、エリア管理装置１の制御部１１は、記憶部１２において受信した出場情報に含まれる車両の識別情報で特定される入場情報と全経路情報とを検索する（ＳＴ１８１）。
【０１０１】
出場情報に含まれる識別情報の車両の入場情報を特定すると、制御部１１は、特定した入場情報が示す入口と受信した出場情報が示す出口との組み合わせに応じた基本料金を基本テーブルＴ１から引当てる（ＳＴ１８２）。また、制御部１１は、出場情報に含まれる識別情報の車両の全ての経路情報を特定すると、特定した各経路に応じた変動額を共通の変動課金テーブルＴ２から引当てる（ＳＴ１８３）。基本料金と通過した全ての経路に応じた変動額を引き当てると、制御部１１は、特定した全ての変動額を基本料金に適用した合計の金額（通行料金）を算出する（ＳＴ１８４）。
【０１０２】
基本料金と全経路に応じた変動額とに基づく通行料金が決定すると、制御部１１は、出場情報に含まれる識別情報の車両に課する通行料金を示す請求金額情報を作成し、作成した請求金額情報を出場情報の送信元である出口料金所機器３へ送信する（ＳＴ１８５）。
以上の処理によれば、エリア管理装置は、担当するエリア内の各機器からの情報を収集し、エリア内で車両が通行した経路などの経路情報を保持する。エリア管理装置は、関所機器からのエリア跨ぎ情報を受信すると、他のエリアへ移動する車両の入場情報とこれまでの全経路情報とを示す引継情報を移動先のエリアのエリア管理装置へ提供する。移動先のエリアのエリア管理装置は、引継情報に含まれる全経路情報を保持し、さらに自エリア内で当該車両が通過した経路を示す経路情報も保持する。エリア管理装置は、出口料金所機器からの出場情報を受信すると、出場する車両の入場情報と全ての経路情報とを特定し、入口と出口との組み合わせから決まる基本料金に全て経路に応じた変動額を適用した通行料金を出口料金所機器へ提供する。
【０１０３】
なお、第１実施形態の第２変形例に係る料金処理システムおいて、関所機器５は第１実施形態として説明した図７に示す処理と同様な処理を行うもので良く、出口料金所機器３は、第１実施形態で説明した図８に示す処理と同様な処理を行うもので良い。このため、第１実施形態の第２変形例に係る料金処理システムおける関所機器５および出口料金所機器３の処理については、詳細な説明を省略するものとする。
【０１０４】
以上のように、第１実施形態の第２変形例によれば、エリア管理装置は、全エリアにおける各経路に対する変動額を示す共通の変動課金テーブルと基本料金を示す基本テーブルとを具備し、自エリアから他のエリアへ移動する車両に関する入場情報と全ての経路情報とを引継情報として移動先のエリア管理装置へ送信する。さらに、エリア管理装置は、出口料金所機器から出場情報に応じて、前エリアまでの全経路と自エリアでの全経路に応じた変動額とを決定し、基本料金に全ての経路に対する変動額を適用した通行料金を出口料金所機器へ送信する。
【０１０５】
これにより、第１実施形態の第２変形例に係る料金処理システムでは、各エリアのエリア管理装置が関所を通過した車両がそれまでに通過した全ての経路を示す経路情報を移動先のエリア管理装置に引き継ぎことができ、広大な地域にまたがるような大規模な有料道路であっても車両が通行した経路情報の管理を確実に実施でき、経路別の混雑度などに基づいて設定される経路に応じた変動額を適用した通行料金の処理を円滑に行うことができる。
【０１０６】
（第２実施形態）
第１実施形態では、エリア間で情報の引き継ぎを行うエリア管理装置が基本テーブルと変動課金テーブルとを管理し、車両の通行状況に応じた変動額を適用した通行料金を算出していた。
【０１０７】
これに対し、第２実施形態では、基本課金テーブルは出口料金所が管理し、変動課金テーブルはエリア管理装置が管理して、出口料金所機器がエリア管理装置からの情報に基づいて通行料金の計算を行う実施の形態である。
【０１０８】
第２実施形態に係る料金処理システムは、第１実施形態と同様に、図１に示すような各種の機器で実現される。ただし、第２実施形態に係る料金処理システムは、各機器間で送受信する情報が第１実施形態とは異なる。また、第２実施形態に係る料金処理システムでは、エリア管理装置および出口料金所機器が実施する処理内容が第１実施形態と異なるため、基本テーブル具備することが必要な装置と変動課金テーブルを具備することが必要な装置とが第１実施形態とは異なる。
【０１０９】
以下、第２実施形態について詳細に説明する。  
図１２は、第２実施形態に係る料金処理システムにおけるエリア管理装置１、入口料金所機器２、出口料金所機器３、経路機器４および関所機器５の制御系の構成例を示すブロック図である。  
図１２に示す構成例は、第１実施形態で説明した図２に示す構成例に比べて、出口料金所機器３が基本テーブルＴ１を含む記憶部３６を具備し、エリア管理装置が基本テーブルを具備しなくても良い点が異なる。それ以外の構成については、第１実施形態で説明した図２に示す構成と同様であるため、詳細な説明を省略する。また、基本テーブルＴ１の内容は第１実施形態で説明した図３に示す構成で良く、変動課金テーブルＴ２（Ｔ２Ａ、Ｔ２Ｂ）の内容は第１実施形態で説明した図４に示す構成で良いため、詳細な説明を省略するものとする。
【０１１０】
次に、第２実施形態において各エリアのエリア管理装置１Ａ、１Ｂが各機器から取得する情報について説明する。  
図１３は、第２実施形態に係る料金処理システムの運用例を説明するための模式図である。  
図１３は、図５に示す例と同様に、エリアＡの入口料金所「ＩＣ：Ａ」から入場した車両が、エリアＡの経路ａ、関所、エリアＢの経路ｃを通過した後に、エリアＢの出口料金所「ＩＣ：Ｃ」から出場する様子を模式的に例示する図である。
【０１１１】
まず、入口料金所機器２ａは、入口料金所「ＩＣ：Ａ」に進入する車両に搭載された車載器Ｓと通信し、当該車載器に有効なＥＴＣカードＣが正常にセットされていること確認する。入口料金所機器２ａは、車載器Ｓに有効なＥＴＣカードＣが正常にセットされていることを確認すると、当該ＥＴＣカードＣの記憶領域Ｅに入口および入場日時を示す情報を書き込み、当該車両の入場を許可する。
【０１１２】
ただし、入口料金所機器２は、図５に示す入場情報Ｄａｔａ１と同様な内容の入場情報Ｄａｔａ２１をエリア管理装置１Ａへ送信するようにしても良い。例えば、変動額を設定する条件に入場情報が含める場合、入口料金所機器２は、車載器Ｓとの通信によって車載器Ｓから取得する情報に基づいて作成する入場情報Ｄａｔａ２１をエリア管理装置１Ａへ送信する。この場合、エリア管理装置１Ａは、入口料金所機器２ａから取得する入場情報Ｄａｔａ２１を記憶部１２に記憶する。
【０１１３】
次に、入口料金所「ＩＣ：Ａ」から入場した車両がエリアＡにおける経路ａを通過する場合、経路機器４ａは、車両が経路ａを通過したことを示す通過経路情報Ｄａｔａ２２を作成し、作成した通過経路情報Ｄａｔａ２２をエリア管理装置１Ａへ送信する。この通過経路情報Ｄａｔａ２２は、図５に示す通過経路情報Ｄａｔａ２と同様な内容で構成されるもので良い。エリア管理装置１Ａは、経路ａに設置した経路機器４ａから通過経路情報Ｄａｔａ２２を取得（受信）すると、エリアＡ用の変動課金テーブルＴ２Ａから経路ａに応じた変動額（割引額）を引き当てる。経路ａに応じた変動額を引当てると、エリア管理装置１Ａは、引当てた変動額を当該車両の識別情報（カードＩＤまたは車載器ＩＤ）に対応づけた累積変動額として記憶部１２に記憶（または更新）する。なお、エリア管理装置は、変動額の引き当てを、通過経路情報を受信するごとではなく、エリア跨ぎ情報を受信したタイミングで実行しても良いし、出場情報を受信したタイミングで実行しても良い。
【０１１４】
次に、経路ａを通過した車両が関所を通過する場合、関所機器５は、関所を通過する車両に搭載されている車載器Ｓと通信し、関所を通過する車両に関する情報を取得する。関所機器５は、車載器Ｓから取得する情報に基づいてエリア跨ぎ情報Ｄａｔａ２３を作成し、作成したエリア跨ぎ情報Ｄａｔａ２３をエリアＡのエリア管理装置１Ａへ送信する。ここで、エリア跨ぎ情報Ｄａｔａ２３は、関所を通過して隣接するエリアに移動したことを示す情報であり、図５に示すエリア跨ぎ情報Ｄａｔａ３と同様な内容で構成されるもので良い。なお、関所機器５は、エリア跨ぎ情報Ｄａｔａ２３を移動先のエリアＢのエリア管理装置１Ｂに送信するようにしても良いし、移動元のエリアＡのエリア管理装置１Ａと移動先のエリアＢのエリア管理装置１Ｂとの両方に送信しても良い。
【０１１５】
エリア管理装置１Ａは、関所機器５からエリア跨ぎ情報Ｄａｔａ２３を取得（受信）すると、関所を通過した車両に対する変動額に関する情報を移動先のエリアＢのエリア管理装置１Ｂへ引き継ぐための引継情報Ｄａｔａ２４を作成する。第２実施形態において、引継情報Ｄａｔａ２４は、車両の識別情報（カードＩＤ、車載器ＩＤ）と累積変動額とを含む情報であれば良い。第２実施形態では、入口を示す入場情報を車両に搭載した車載器ＳにセットされるＥＴＣカードＣに書込むため、引継情報Ｄａｔａ２４には入場情報を含めなくても良い。引継情報Ｄａｔａ２４を作成すると、エリア管理装置１Ａは、当該車両の移動先であるエリアＢのエリア管理装置１Ｂへ当該引継情報Ｄａｔａ２４を送信する。
【０１１６】
次に、関所からエリアＢへ進入した車両が経路ｃを通過する場合、経路機器４ｃは、各経路ｃを通過する車両の車載器Ｓと通信し、経路ｃを通過したことを示す通過経路情報Ｄａｔａ２５を作成する。経路機器４ｃは、作成した通過経路情報Ｄａｔａ２５をエリア管理装置１Ｂへ送信する。通過経路情報Ｄａｔａ２５は、上述した通過経路情報Ｄａｔａ２２と同様なフォーマット（構成）で良い。
【０１１７】
エリア管理装置１Ｂは、エリアＡからエリアＢへ移動した車両の通過経路情報Ｄａｔａ２５を受信すると、通過した経路ｃに応じた変動額を変動課金テーブルＴ２Ｂから引当てて当該車両に対する累積変動額を更新する。これにより、エリアＢ（移動先のエリア）のエリア管理装置１Ｂは、引継情報Ｄａｔａ２４に含まれるエリアＢへ移動する前までの累積変動額と当該エリアＢ内で通過した経路に応じた変動額とに基づいてエリアＢを通行する車両に対する累積変動額を管理できる。
【０１１８】
次に、車両が出口料金所「ＩＣ：Ｃ」に進入すると、出口料金所機器３ｃは、車両に搭載されている車載器Ｓと通信して車両に関する情報を取得し、当該車両に対する累積変動額を要求するための出場情報Ｄａｔａ２６を作成する。第２実施形態では、エリア管理装置１は、基本テーブルに基づく基本料金や通行料金の計算を行わない。このため、出場情報Ｄａｔａ２６は、出場する車両の識別情報を含む情報であれば良く、出口を示す情報や出場日時を示す情報などの情報を省略したものであっても良い。ただし、出場情報Ｄａｔａ２６は、図５に示す出場情報Ｄａｔａ６と同様な内容であっても良い。例えば、変動額を設定する条件に出場情報が含まれる場合、出口料金所機器３は、車載器Ｓとの通信によって車載器Ｓから取得する情報に基づいて作成する出場情報Ｄａｔａ２６をエリア管理装置１Ａへ送信するようにしても良い。
【０１１９】
エリア管理装置１Ｂは、出口料金所機器３ｃから出場情報Ｄａｔａ２６を取得すると、記憶部１２に記憶している当該車両に対する累積変動額を検索し、当該車両に対する累積変動額を示す累積変動額情報Ｄａｔａ２７を作成する。累積変動額情報Ｄａｔａ２７は、車両の識別情報（カードＩＤ、車載器ＩＤ）に対応づけた累積変動額を示す情報である。エリア管理装置１Ｂは、作成した累積変動額情報Ｄａｔａ２７を出場情報Ｄａｔａ２６の送信元である出口料金所機器３ｃへ返信する。
【０１２０】
一方、出口料金所機器３は、出場する車両の車載器Ｓとの通信によってＥＴＣカードＣの記憶領域Ｅに記録した当該車両の入口を示す入場情報を取得し、車載器Ｓから取得する入口と出口との組み合わせに基づき基本テーブルＴ１から基本料金を引き当てる。さらに、出口料金所機器３は、基本テーブルＴ１から引当てた基本料金に、エリア管理装置１Ｂから受信する累積変動額情報Ｄａｔａ２７が示す累積変動額を適用して通行料金を算出する。これにより、出口料金所の出口料金所機器３は、算出した通行料金に基づいて当該車両に対する出場処理を実行する。この出場処理において、出口料金所機器３は、車載器ＳにセットされているＥＴＣカードＣの記憶領域Ｅに出口および出場日時を示す情報を書き込み、当該車両の出場を許可する。
【０１２１】
次に、第２実施形態に係る料金処理システムにおける各機器の動作について説明する。
まず、第２実施形態に係る料金処理システムにおけるエリア管理装置１の動作について説明する。  
図１４は、第２実施形態に係る料金処理システムにおけるエリア管理装置１の動作例を説明するためのフローチャートである。  
第２実施形態において、各エリア管理装置１は、エリア内における経路機器４から通過経路情報を取得して自エリア内での経路に応じた変動額を引き当て、車両ごとの累積変動額として管理する。また、エリア管理装置１は、関所を通過して自エリア内に移動してきた車両に対する累積変動額を含む引継情報を移動元のエリアのエリア管理装置から取得する。
【０１２２】
すなわち、入口料金所機器２からの入場情報を受信した場合（ＳＴ２１１、ＹＥＳ）、エリア管理装置１の制御部１１は、記憶部１２に入場情報を記憶する（ＳＴ２１２）。ただし、エリア管理装置が入場情報を管理する必要がない運用であれば、ＳＴ２１１およびＳＴ２１２の処理は省略して良い。例えば、入場情報に含まれる情報を変動額の条件としない場合には、ＳＴ２１１およびＳＴ２１２の処理は省略して良い。
【０１２３】
経路機器４からの通過経路情報を受信した場合（ＳＴ２１３、ＹＥＳ）、エリア管理装置１の制御部１１は、受信した通過経路情報から当該車両が通過した経路を特定し、通過した経路に対して設定される変動額を当該エリアの変動課金テーブルＴ２から引当てる（ＳＴ２１４）。ただし、ＳＴ２１４の処理は、通過経路情報を受信する度に実行するのではなく、後述するＳＴ２１６の処理またはＳＴ２２１の処理の後にまとめて実行するようにしても良い。通過した経路に変動額が設定されている場合、制御部１１は、当該車両に対する累積変動額を計算し、計算した累積変動額を記憶部１２に記憶（更新）する（ＳＴ２１５）。
【０１２４】
例えば、制御部１１は、当該通過経路情報に含まれる車両の識別情報（カードＩＤまたは車載器ＩＤ）に基づいて当該車両に対する累積変動額を記憶部１２から検索する。当該車両に対する累積変動額が記憶部１２に記憶されていれば、制御部１１は、通過した経路に応じた変動額を累積変動額に加算し、累積変動額を更新する。また、累積変動額が記憶部１２に記憶されていなければ、制御部１１は、通過した経路に応じた変動額を累積変動額として当該車両の識別情報に対応づけて記憶する。なお、受信した通過経路情報が示す通過した経路に変動額が設定されていない場合、制御部１１は、ＳＴ２１５の処理を省略する。
【０１２５】
また、関所機器５からのエリア跨ぎ情報を受信した場合（ＳＴ２１６、ＹＥＳ）、エリア管理装置１の制御部１１は、受信したエリア跨ぎ情報に含まれる識別情報で特定される車両に対する変動額に関する情報を次のエリアへ引き継ぐための引継情報を作成する（ＳＴ２１６）。上述したように、第２実施形態において、引継情報は、自エリア内での通過経路に応じた変動額を含むこれまでの累積変動額を次のエリアへ通知する（引き継ぐ）情報である。
【０１２６】
制御部１１は、当該エリア跨ぎ情報に含まれる車両の識別情報（カードＩＤまたは車載器ＩＤ）に基づいて当該車両の入場情報と当該車両のこれまでの累積変動額とを記憶部１２から検索する。当該車両に対するこれまでの累積変動額が記憶部１２に記憶されていれば、制御部１１は、当該車両の識別情報と累積変動額とを含む引継情報を作成する。制御部１１は、エリア跨ぎ情報に基づいて移動先のエリアを担当するエリア管理装置を特定し、移動先のエリアのエリア管理装置へ作成した引継情報を送信する（ＳＴ２１８）
また、他のエリアのエリア管理装置から引継情報を受信した場合（ＳＴ２１９、ＹＥＳ）、エリア管理装置１の制御部１１は、受信した引継情報に含まれる累積変動額を車両の識別情報に対応づけて記憶部１２に記憶する（ＳＴ２２０）。
【０１２７】
また、出口料金所機器３から出場情報を受信した場合（ＳＴ２２１、ＹＥＳ）、エリア管理装置１の制御部１１は、記憶部１２において出場情報に含まれる識別情報で特定される車両の累積変動額を検索する（ＳＴ２２２）。  
当該出場情報に含まれる識別情報の車両に対する累積変動額を特定すると、制御部１１は、特定した累積変動額を出場情報に含まれる車両の識別情報に対応づけた累積変動額情報を作成し（ＳＴ２２４）、作成した累積変動額情報を出場情報の送信元である出口料金所機器３へ送信する（ＳＴ２２５）。これにより、出口料金所のエリアのエリア管理装置は、前エリアまでに通過した全ての経路も含めた全変動額を累計した累計変動額をエリア内の出口料金所機器３へ提供できる。
【０１２８】
なお、第２実施形態に係る料金処理システムにおける関所機器５は、図７に示すような第１実施形態で説明した関所機器と同様な動作を行うもので良い。このため、第２実施形態においては、関所機器５の動作については詳細な説明を省略するものとする。
【０１２９】
次に、第２実施形態に係る料金処理システムにおける出口料金所機器３の動作について説明する。  
図１５は、第２実施形態に係る料金処理システムにおける出口料金所機器３の動作例を説明するためのフローチャートである。  
出口料金所機器３の制御部３１は、出口料金所に進入する車両を検知すると（ＳＴ２５１）、車両通信部３３によって当該車両に搭載されている車載器Ｓとの通信を開始する。車載器Ｓとの通信が確立すると、制御部３１は、車載器Ｓとの通信によって当該車両に関する各種の情報を取得する（ＳＴ２５２）。例えば、第２実施形態において、制御部３１は、カードＩＤおよび車載器ＩＤなどの識別情報、車種を示す情報、および、入場情報などの情報を車載器Ｓから取得する。
【０１３０】
車載器Ｓから車両を特定するための識別情報（カードＩＤ、車載器ＩＤ）を取得すると、制御部３１は、当該車両に対する累積変動額を要求する情報として車載器Ｓから取得した識別情報を含む出場情報を作成し、作成した出場情報を自エリアのエリア管理装置１へ送信する（ＳＴ２５３）。
【０１３１】
また、制御部３１は、車載器Ｓから取得する入場情報に基づいて入口を特定し（ＳＴ２５４）、車載器Ｓから取得する車種を示す情報に基づいて車種を特定する（ＳＴ２５５）。車載器Ｓからの情報によって入口と車種とを特定すると、制御部３１は、入口と出口との組み合わせに応じた基本料金を当該車種に対応する基本テーブルＴ１から引当てる（ＳＴ２５６）。
【０１３２】
また、出場情報をエリア管理装置１へ送信した後、制御部３１は、当該エリア管理装置１からの累積変動額を示す累積変動額情報を受信し（ＳＴ２５７）、受信した累積変動額情報が示す累積変動額を基本料金に適用した合計の金額を当該車両に課する通行料金として算出する（ＳＴ２５８）。通行料金を算出すると、制御部３１は、算出した通行料金を路側表示器３５に表示し（ＳＴ２５９）、発進制御器３４により当該車両の出場を許可する（ＳＴ２６０）。さらに、制御部３１は、当該車両の車載器ＳにセットされているＥＴＣカードＣに出場情報を書込み（ＳＴ２６１）、当該車両に対する出場処理を終了する。
【０１３３】
以上のように、第２実施形態によれば、各エリア管理装置１は、自エリアにおける経路別の混雑度などに基づく経路に応じた変動額を示すエリア別の変動課金テーブルを具備し、エリア別の変動課金テーブルから自エリア内での通過経路に応じた変動額を引き当て車両に対する累積変動額を管理する。車両が他のエリアへ移動する場合、移動元のエリアのエリア管理装置は、移動先のエリア管理装置へ移動した車両に対する累積変動額を示す引継情報を送信する。移動先のエリア管理装置は、移動元のエリア管理装置から取得する累積変動額に自エリア内での通行経路に応じた変動額を加えていくことにより累積変動額を更新する。さらに、各エリア管理装置１は、出場情報に応じて累積変動額を出口料金所機器へ送信する。これにより、出口料金所機器は、入口と出口との組み合わせに応じた基本料金を示す基本テーブルを具備し、この基本テーブルから引き当てる基本料金にエリア管理装置から取得する累積変動額を適用することによって通行料金を算出する。
【０１３４】
これにより、第２実施形態に係る料金処理システムでは、各エリアのエリア管理装置が他のエリアでの変動額を引き継ぎながら自エリア内での通行経路に応じた変動額を加算した累積変動額を管理でき、広大な地域にまたがる大規模な有料道路において経路別の混雑度などに基づいて設定される経路に応じた変動額を効率良く管理できる。また、第２実施形態に係る料金処理システムは、各エリア管理装置が自エリア内の経路に対する変動額を示すエリア別の変動課金テーブルを保持することで効率良く変動額の引当を行うことができ、処理を高速化できる。さらに、第２実施形態に係る料金処理システムでは、各エリア管理装置がエリア間を移動した車両の累積変動額を送受信するため、大量のデータをエリア間で転送する必要が無く、通信データ量を少なくでき、エリア間での通信負荷を軽減できる。
【０１３５】
（第２実施形態における第１変形例）
上述した第２実施形態では、各エリア管理装置が具備する変動課金テーブルは、エリア別の変動課金テーブルであった。しかしながら、エリア管理装置変動課金テーブルは、有料道路全体（全てのエリア）の各経路に対する変動額を示す共通の変動課金テーブルとしても良い。
【０１３６】
ここでは、第２実施形態の第１変形例として、上述した第２実施形態に係る料金処理システムにおいてエリア管理装置が具備する変動課金テーブルを全エリアに対応する共通の変動課金テーブルに置き換えたものについて説明する。
【０１３７】
図１６は、第２実施形態の第１変形例に係る料金処理システムの運用例を説明するための模式図である。  
図１６に示すように、第２実施形態の第１変形例に係る料金処理システムは、上述した図１３に示すような構成の第２実施形態に係る料金処理システムにおいて各エリア管理装置が具備する変動課金テーブルを全エリアに対応する共通の変動課金テーブルＴ２に置き換えた構成を具備するものである。全エリアに共通の変動課金テーブルＴ２は、上述した第１実施形態の第１変形例で説明したもので良く、各エリア管理装置１（１Ａ、１Ｂ）が実施する処理は、各エリア管理装置が変動額を引き当てるテーブルを共通の変動課金テーブルＴ２とする以外は上述した第２実施形態と同様な処理で実現できる。
【０１３８】
図１６に示す構成において、共通の変動課金テーブルＴ２は、全てのエリアにおける全ての経路に対する変動額を格納するため、エリア別の変動課金テーブルＴ２Ａ、Ｔ２Ｂに比べてデータ量が多くなるが、エリアごとに作成したり更新したりする必要がなく、有料道路全体における全ての経路に応じた変動額を一元的に管理できる。
【０１３９】
（第２実施形態における第２変形例）
上述した第２実施形態の第1変形例では、各エリア管理装置が自エリアで通過した経路に応じた変動額を累積変動額として更新していき、移動先のエリアのエリア管理装置へ累積変動額を引き継ぐようにした。しかしながら、各エリア管理装置が通過した経路を示す経路情報を蓄積していき、移動先のエリアのエリア管理装置へ経路情報を引き継ぐようにしても良い。
【０１４０】
第２実施形態の第２変形例としては、上述した第２実施形態に係る料金処理システムにおいてエリア管理装置が累積変動額ではなく経路情報を移動先のエリアのエリア管理装置へ送信するものについて説明する。
【０１４１】
図１７は、第２実施形態の第２変形例に係る料金処理システムの運用例を説明するための模式図である。  
図１７に示すように、第２実施形態の第２変形例に係る料金処理システムは、上述した図１３に示す構成において変動課金テーブルを全エリアに対応する共通の変動課金テーブルＴ２に置き換えた構成で実現されるものである。
【０１４２】
図１７に示す例において、エリア管理装置１Ａは、エリアＡ内の経路機器４ａから取得する経路情報を記憶部１２に記憶する。また、エリア管理装置１Ａは、入口料金所機器２ａからの入場情報も変動額を特定するための条件を示す経路情報の１つとして記憶部１２に記憶しても良い。エリア管理装置１Ａは、関所機器５からのエリア跨ぎ情報を受信すると、受信したエリア跨ぎ情報に含まれる車両の識別情報に対応する全ての経路情報とを記憶部１２から抽出し、全経路情報を含む引継情報Ｄａｔａ２４´を移動先のエリアＢのエリア管理装置１Ｂへ送信する。
【０１４３】
エリア管理装置１Ｂは、エリア管理装置１Ａからの引継情報に含まれる全経路情報（前エリアまでの全経路情報）を車両の識別情報に対応づけて記憶部１２に記憶する。エリア管理装置１Ｂは、エリアＢ内の経路機器４ｃから通過経路情報を受信すると、自エリアでの経路情報として記憶部１２に記憶する。エリア管理装置１Ｂは、出口料金所機器３ｃから出場情報を受信すると、受信した出場情報に含まれる車両の識別情報に対応する全ての経路情報（前エリアまでの全経路と自エリアでの全経路）とを記憶部１２から抽出する。エリア管理装置１Ｂは、抽出した全ての経路情報に応じた変動額を変動課金テーブルＴ２から引当てる。エリア管理装置１Ｂは、全ての変動額の合計を計算し、計算した変動額の合計を示す情報を出口料金所機器３ｃへ送信する。
【０１４４】
次に、第２実施形態の第２変形例に係る料金処理システムにおけるエリア管理装置１の動作について説明する。  
図１８は、第２実施形態の第２変形例に係る料金処理システムにおけるエリア管理装置１の動作例を説明するためのフローチャートである。  
第２実施形態の第２変形例において、各エリア管理装置１は、エリア内における入口料金所機器２からの入場情報、経路機器４からの通過経路情報、関所機器５からのエリア跨ぎ情報、および、出口料金所機器３からの出場情報を随時受信する。また、エリア管理装置１は、関所を通過してエリア内に移動してきた車両がこれまでに通行した全ての経路を示す情報を含む引継情報を移動元のエリアのエリア管理装置から受信する。
【０１４５】
入口料金所機器２からの入場情報を受信した場合（ＳＴ２７１、ＹＥＳ）、エリア管理装置１の制御部１１は、記憶部１２に入場情報を記憶する（ＳＴ２７２）。ただし、入場情報に含まれる情報を変動額の条件としない場合などには、エリア管理装置１は、ＳＴ２７１及びＳＴ２７２の処理を省略して良い。
【０１４６】
経路機器４からの通過経路情報を受信した場合（ＳＴ２７３、ＹＥＳ）、エリア管理装置１の制御部１１は、受信した通過経路情報を記憶部１２に記憶する（ＳＴ２７４）。制御部１１は、経路機器４から受信する通過経路情報をカードＩＤおよび車載器ＩＤなどの車両の識別情報で検索できるように、カードＩＤおよび車載器ＩＤなどの車両の識別情報に対応づけた経路、通過日時および車種などの情報を経路情報として記憶部１２に記憶する。
【０１４７】
また、関所機器５からのエリア跨ぎ情報を受信した場合（ＳＴ２７５、ＹＥＳ）、エリア管理装置１の制御部１１は、受信したエリア跨ぎ情報に含まれる識別情報で特定される車両に関する全ての経路情報を次のエリアへ引き継ぐための引継情報を作成する（ＳＴ２７６）。制御部１１は、エリア跨ぎ情報に含まれる車両の識別情報（カードＩＤまたは車載器ＩＤ）に基づいて当該車両のこれまでの全ての経路情報を記憶部１２から検索する。全ての経路情報を抽出すると、制御部１１は、当該車両の識別情報と抽出した全ての経路情報とを含む引継情報を作成する。さらに、制御部１１は、エリア跨ぎ情報に基づいて移動先のエリアを担当するエリア管理装置を特定し、移動先のエリアのエリア管理装置へ作成した引継情報を送信する（ＳＴ２７７）
また、他のエリアのエリア管理装置から引継情報を受信した場合（ＳＴ２７８、ＹＥＳ）、エリア管理装置１の制御部１１は、受信した引継情報に含まれる前エリアまでの全ての経路情報を車両の識別情報に対応づけて記憶部１２に記憶する（ＳＴ２７９）。
【０１４８】
また、出口料金所機器３から出場情報を受信した場合（ＳＴ２８０、ＹＥＳ）、エリア管理装置１の制御部１１は、記憶部１２において受信した出場情報に含まれる識別情報で特定される車両の全ての経路情報を検索する（ＳＴ２８１）。  
全ての経路情報を抽出すると、制御部１１は、抽出した全ての経路に応じた変動額を変動課金テーブルＴ２からそれぞれ引当てる（ＳＴ２８２）。全ての経路に応じた変動額を引き当てると、制御部１１は、特定した全ての変動額の合計を計算し（ＳＴ２８３）、計算した変動額の合計を示す合計の変動額情報（累積変動額）を作成し（ＳＴ２８４）、作成した合計の変動額情報を出場情報の送信元である出口料金所機器３へ送信する（ＳＴ２８５）。これにより、エリア管理装置は、出場情報に応じて、出場する車両に対する全エリアでの全経路に応じた変動額の合計を示す情報を出口料金所機器へ提供できる。
【０１４９】
なお、第２実施形態の第２変形例に係る料金処理システムおいて、関所機器５は第１実施形態として上述した図７に示す処理と同様な処理を行うもので良く、出口料金所機器３は、第２実施形態として上述した図１５に示す処理と同様な処理を行うもので良い。このため、第２実施形態の第２変形例としては、関所機器５および出口料金所機器３の処理についての詳細な説明を省略する。
【０１５０】
以上のように、第２実施形態の第２変形例によれば、エリア管理装置は、自エリア内の通過した経路を示す経路情報を蓄積し、関所機器からのエリア跨ぎ情報に応じてこれまでの全経路情報を示す引継情報を移動先のエリアのエリア管理装置へ提供する。移動先のエリアのエリア管理装置は、引継情報に含まれる全経路情報を保持し、さらに自エリア内で当該車両が通過した経路を示す経路情報も保持する。エリア管理装置は、出場情報に応じて、出場する車両の全経路情報に基づいて全エリアでの全経路に応じた変動額の共通の変動課金テーブルから引当て、全経路に応じた変動額の合計を示す情報を出口料金所機器へ提供する。
【０１５１】
これにより、第２実施形態の第２変形例に係る料金処理システムでは、自エリアまでの全ての経路情報を移動先のエリア管理装置に引き継ぎことができ、広大な地域にまたがるような大規模な有料道路であっても車両が通行した全ての経路情報の確実に管理でき、経路別の混雑度などに基づいて設定される経路に応じた変動額を適用した通行料金の処理を円滑に行うことができる。
【０１５２】
（第３実施形態）
第３実施形態は、基本課金テーブルと変動課金テーブルの両方を出口料金所が管理し、更に経路情報をエリア管理装置が管理する実施の形態である。
【０１５３】
第３実施形態は、各エリア管理装置が、自エリア内での経路情報を蓄積し、車両が他のエリアへ移動する場合には自エリア内の全経路情報に応じた累積変動額を移動先のエリア管理装置へ提供し、自エリアで出場する場合には自エリア内の全経路情報と前エリアまでの累積変動額とを通行料金の計算を担う出口料金所機器へ提供するものである。
【０１５４】
第３実施形態に係る料金処理システムは、第１実施形態と同様に、図１に示すような各種の装置で実現される。ただし、第３実施形態に係る料金処理システムは、各装置が実施する処理が第１実施形態とは異なるため、基本テーブルを具備することが必要な装置と変動課金テーブルを具備することが必要な装置とが第１実施形態とは異なる。
【０１５５】
以下、第３実施形態に係る料金処理システムについて詳細に説明する。  
図１９は、第３実施形態に係る料金処理システムにおけるエリア管理装置１、入口料金所機器２、出口料金所機器３、経路機器４および関所機器５の制御系の構成例を示すブロック図である。  
図１９に示す第３実施形態に係る料金処理システムの構成は、第１実施形態で説明した図２に示す構成例と比べて、出口料金所機器３が基本テーブルＴ１および自エリアの変動課金テーブルＴ２Ａ、Ｔ２Ｂを設けた記憶部３６をさらに具備する点が異なる。また、図１９に示す構成では、各エリア管理装置１Ａ、１Ｂが、エリア別の変動課金テーブルＴ２Ａ、Ｔ２Ｂを具備し、基本テーブルＴ１を具備しなくても良い点が図２に示す構成例とは異なる。
【０１５６】
なお、図１９に示す第３実施形態に係る料金処理システムは、上記以外の構成については第１実施形態で説明した図２に示す構成と同様な構成で実現できるため、詳細な説明を省略するものとする。また、基本テーブルＴ１の内容は第１実施形態で説明した図３に示す構成で良く、変動課金テーブルＴ２Ａ、Ｔ２Ｂの内容は第１実施形態で説明した図４に示す構成で良いため、詳細な説明を省略するものとする。
【０１５７】
次に、第３実施形態において各エリアのエリア管理装置１Ａ、１Ｂが各機器から取得する情報について説明する。  
図２０は、第３実施形態に係る料金処理システムの運用例を説明するための模式図である。  
図２０は、図５に示す例と同様に、エリアＡの入口料金所「ＩＣ：Ａ」から入場した車両が、エリアＡの経路ａ、関所、エリアＢの経路ｃを通過した後に、エリアＢの出口料金所「ＩＣ：Ｃ」から出場する様子を模式的に例示する図である。
【０１５８】
まず、入口料金所機器２ａは、入口料金所「ＩＣ：Ａ」に進入する車両に搭載された車載器Ｓと通信し、当該車載器に有効なＥＴＣカードＣが正常にセットされていること確認する。入口料金所機器２ａは、車載器Ｓに有効なＥＴＣカードＣが正常にセットされていることを確認すると、当該ＥＴＣカードＣの記憶領域Ｅに入口および入場日時を示す情報を書き込み、当該車両の入場を許可する。
【０１５９】
ただし、入口料金所機器２ａは、図５に示す入場情報Ｄａｔａ１と同様な内容の入場情報Ｄａｔａ３１をエリア管理装置１Ａへ送信するようにしても良い。例えば、変動額を設定する条件に入場情報の情報が含まれる場合、入口料金所機器２ａは、車載器Ｓとの通信によって車載器Ｓから取得する情報に基づいて作成する入場情報Ｄａｔａ３１をエリア管理装置１Ａへ送信する。この場合、エリア管理装置１Ａは、入口料金所機器２ａから取得する入場情報Ｄａｔａ３１を記憶部１２に記憶すれば良い。
【０１６０】
次に、入口料金所「ＩＣ：Ａ」から入場した車両がエリアＡにおける経路ａを通過する場合、経路機器４ａは、車両が経路ａを通過したことを示す通過経路情報Ｄａｔａ３２を作成し、作成した通過経路情報Ｄａｔａ３２をエリア管理装置１Ａへ送信する。通過経路情報Ｄａｔａ３２は、図５に示す通過経路情報Ｄａｔａ２と同様な内容で構成されるもので良い。エリア管理装置１Ａは、経路機器４ａから受信した通過経路情報Ｄａｔａ３２を記憶部１２に記憶する。例えば、エリア管理装置１Ａは、受信した通過経路情報Ｄａｔａ３２を車両の識別情報ごとに整理した経路情報として記憶部１２に蓄積する。
【０１６１】
次に、経路ａを通過した車両が関所を通過する場合、関所機器５は、関所を通過する車両に搭載されている車載器Ｓと通信することにより車載器Ｓから取得する情報に基づいてエリア跨ぎ情報Ｄａｔａ３３を作成し、作成したエリア跨ぎ情報Ｄａｔａ３３をエリアＡのエリア管理装置１Ａへ送信する。ここで、エリア跨ぎ情報Ｄａｔａ３３は、関所を通過して隣接するエリアに移動したことを示す情報であり、図５に示すエリア跨ぎ情報Ｄａｔａ３と同様な内容で構成されるもので良い。なお、関所機器５は、エリア跨ぎ情報Ｄａｔａ３３を移動先のエリアＢのエリア管理装置１Ｂに送信するようにしても良いし、移動元のエリアＡのエリア管理装置１Ａと移動先のエリアＢのエリア管理装置１Ｂとの両方に送信しても良い。
【０１６２】
エリア管理装置１Ａは、関所機器５からエリア跨ぎ情報Ｄａｔａ３３を取得（受信）すると、関所を通過する車両に対する累積変動額を示す情報を移動先のエリアＢのエリア管理装置１Ｂへ引き継ぐための引継情報Ｄａｔａ３４を作成する。例えば、エリア管理装置１Ａは、関所を通過する車両の識別情報に基づいて当該車両のエリアＡ（自エリア）における全ての経路情報を記憶部１２から抽出し、エリアＡにおける全ての経路に対する変動額をエリアＡ用の変動課金テーブルＴ２Ａから引き当て、全経路に応じた変動額の合計値を累積変動額として算出する。
【０１６３】
なお、第３実施形態では、入口を示す入場情報を車両に搭載した車載器ＳにセットされるＥＴＣカードＣに書込むため、引継情報Ｄａｔａ３４は、入場情報を含まなくても良く、車両の識別情報（カードＩＤ、車載器ＩＤ）と累積変動額とを含む情報であれば良い。また、自エリアの前エリアまでの累積変動額を記憶部１２に記憶している場合、エリア管理装置１Ａは、自エリアでの変動額の合計値を前エリアまでの累積変動額に加算することにより自エリアまでの累積変動額を算出する。
【０１６４】
累積変動額を算出すると、エリア管理装置１Ａは、算出した自エリアまでの累積変動額と当該車両の識別情報（カードＩＤまたは車載器ＩＤ）とを含む引継情報Ｄａｔａ３４を作成する。引継情報Ｄａｔａ３４を作成すると、エリア管理装置１Ａは、当該車両の移動先であるエリアＢのエリア管理装置１Ｂへ当該引継情報Ｄａｔａ３４を送信する。これにより、移動先のエリア管理装置１Ｂは、移動元のエリア管理装置１Ｂからの引継情報Ｄａｔａ３４に含まれる累積変動額を前エリアまでの累積変動額として記憶部１２に記憶する。
【０１６５】
次に、関所からエリアＢへ進入した車両が経路ｃを通過する場合、経路機器４ｃは、各経路ｃを通過する車両の車載器Ｓと通信し、経路ｃを通過したことを示す通過経路情報Ｄａｔａ３５を作成する。経路機器４ｃは、作成した通過経路情報Ｄａｔａ３５をエリア管理装置１Ｂへ送信する。通過経路情報Ｄａｔａ３５は、上述した通過経路情報Ｄａｔａ３２と同じフォーマット（構成）で良い。
【０１６６】
エリア管理装置１Ｂは、通過経路情報Ｄａｔａ３５を受信すると、通過経路情報Ｄａｔａ３５をエリアＢ（自エリア）における経路情報として記憶部１２に記憶する。これにより、エリア管理装置１Ｂは、自エリアにおける全経路情報と前エリアまでの累積変動額とを記憶部１２に記憶する。
【０１６７】
次に、車両が出口料金所「ＩＣ：Ｃ」に進入すると、出口料金所機器３ｃは、車両に搭載されている車載器Ｓと通信して車両に関する情報を取得し、当該車両に対する累積変動額と自エリアの全経路情報とを要求するための出場情報Ｄａｔａ３６を作成する。ただし、第３実施形態では、エリア管理装置１は、基本テーブルに基づく基本料金や通行料金の計算を行わない。このため、出場情報Ｄａｔａ３６は、単に出場する車両に対する前エリアまでの累積変動額と自エリアでの全経路情報とを要求する情報であれば良く、出場する車両の識別情報を含む情報であれば良い。
【０１６８】
なお、出場情報Ｄａｔａ３６は、図５に示す出場情報Ｄａｔａ６と同様な内容であっても良い。例えば、変動額を設定する条件に出場情報の情報が含まれる場合、出口料金所機器３は、車載器Ｓとの通信によって車載器Ｓから取得する情報に基づいて作成する出場情報Ｄａｔａ３６をエリア管理装置１Ａへ送信するようにしても良い。
【０１６９】
エリア管理装置１Ｂは、出口料金所機器３ｃから出場情報Ｄａｔａ３６を取得すると、記憶部１２に記憶している当該車両に対する前エリアまでの累積変動額と自エリアの全経路情報とを検索し、当該車両に対する前エリアまでの累積変動額と自エリアの全経路情報とを含む変動額の関連情報Ｄａｔａ３７を作成する。変動額の関連情報Ｄａｔａ３７は、車両の識別情報（カードＩＤ、車載器ＩＤ）に対応づけた累積変動額と全経路情報とを示す情報である。エリア管理装置１Ｂは、作成した変動額の関連情報Ｄａｔａ３７を出場情報Ｄａｔａ３６の送信元である出口料金所機器３ｃへ返信する。
【０１７０】
一方、出口料金所機器３ｃは、出場する車両の車載器Ｓとの通信によってＥＴＣカードＣに記録されている当該車両の入口を示す情報を取得し、車載器Ｓから取得する入口と出口との組み合わせに基づき基本テーブルＴ１から基本料金を引き当てる。さらに、出口料金所機器３ｃは、エリア管理装置１Ｂから受信する変動額の関連情報Ｄａｔａ３７に含まれるエリアＢの全経路情報に基づいてエリアＢ内の全経路に対する変動額をエリアＢ用の変動課金テーブルＴ２Ｂから引当てる。出口料金所機器３ｃは、エリアＢの全経路に対する変動額の合計と前エリアまでの累積変動額との合計と計算する。出口料金所機器３ｃは、基本テーブルＴ１から引当てた基本料金に、合計の変動額を適用して通行料金を算出する。これにより、出口料金所の出口料金所機器３ｃは、算出した通行料金に基づいて当該車両に対する出場処理を実行する。この出場処理において、出口料金所機器３ｃは、出場する車両に搭載された車載器ＳにセットされているＥＴＣカードＣの記憶領域Ｅに出口および出場日時を示す情報を書き込む処理を行う。
【０１７１】
次に、第３実施形態に係る料金処理システムにおける各機器の動作について説明する。
第３実施形態に係る料金処理システムにおけるエリア管理装置１の動作について説明する。  
図２１は、第３実施形態に係る料金処理システムにおけるエリア管理装置１の動作例を説明するためのフローチャートである。  
入口料金所機器２からの入場情報を機器通信部１３により受信した場合（ＳＴ３１１、ＹＥＳ）、エリア管理装置１の制御部１１は、記憶部１２に入場情報を記憶する（ＳＴ３１２）。ここで、入口料金所機器２は、入場する車両に搭載された車載器ＳにセットされているＥＴＣカードＣの記憶領域Ｅに入口および入場日時を示す情報を書き込む処理を行う。ただし、エリア管理装置が入場情報を管理する必要がない運用であれば、ＳＴ３１１およびＳＴ３１２の処理は省略して良い。  
また、経路機器４からの通過経路情報を受信した場合（ＳＴ３１３、ＹＥＳ）、エリア管理装置１の制御部１１は、受信した通過経路情報を記憶部１２に記憶する（ＳＴ３１４）。
【０１７２】
また、関所機器５からエリア跨ぎ情報を受信した場合（ＳＴ３１５、ＹＥＳ）、エリア管理装置１の制御部１１は、受信したエリア跨ぎ情報に含まれる識別情報で特定される車両の自エリアにおける全ての経路情報を記憶部１２から検索し、自エリアにおける全ての経路に対する変動額をエリア別の変動課金テーブルＴ２Ａ（Ｔ２Ｂ）から引当てる（ＳＴ３１６）。自エリアにおける全ての経路に対する変動額を引き当てると、制御部１１は、変動額の合計を累積変動額として算出する（ＳＴ３１７）。
【０１７３】
ここで、当該車両に対する前エリアまでの累積変動額を記憶部１２にしている場合、制御部１１は、自エリアにおける全ての経路に対する変動額の合計を前エリアまでの累積変動額に加算することで自エリアまでの累積変動額を計算する。また、当該車両に対する前エリアまでの累積変動額が記憶部１２に記憶されていなければ、制御部１１は、自エリアにおける全ての経路に対する変動額の合計を自エリアまでの累積変動額とする。
【０１７４】
自エリアまでの累積変動額を算出すると、制御部１１は、自エリアまでの累積変動額を次のエリアへ引き継ぐための引継情報を作成する（ＳＴ３１８）。例えば、制御部１１は、当該エリア跨ぎ情報に含まれる車両の識別情報（カードＩＤまたは車載器ＩＤ）に対応づけた自エリアまでの累積変動額を示す引継情報を作成する。制御部１１は、エリア跨ぎ情報に基づいて移動先のエリアを担当するエリア管理装置を特定し、移動先のエリアのエリア管理装置へ作成した引継情報を送信する（ＳＴ３１９）
また、他のエリアのエリア管理装置から引継情報を受信した場合（ＳＴ３２０、ＹＥＳ）、エリア管理装置１の制御部１１は、受信した引継情報に含まれる前エリアまでの累積変動額を車両の識別情報に対応づけて記憶部１２に記憶する（ＳＴ３２１）。この場合、制御部１１は、前エリアまでの累積変動額を記憶した後、当該車両の自エリアでの経路情報を記憶部１２に蓄積するものとなる。
【０１７５】
また、出口料金所機器３から出場情報を受信した場合（ＳＴ３２２、ＹＥＳ）、エリア管理装置１の制御部１１は、出場情報に含まれる識別情報で特定される車両に対する前エリアまでの累積変動額と自エリアにおける全ての経路情報とを記憶部１２から検索する（ＳＴ３２３）。出場情報に含まれる識別情報の車両に対する前エリアまでの累積変動額と自エリアの全経路情報とを特定すると、制御部１１は、特定した前エリアまでの累積変動額と自エリアの全経路情報とを示す変動額の関連情報を作成し（ＳＴ３２４）、作成した変動額の関連情報を出場情報の送信元である出口料金所機器３へ送信する（ＳＴ３２５）。これにより、出口料金所のエリアのエリア管理装置は、前エリアまでの累積変動額と自エリアにおける全経路情報とを出口料金所機器３へ提供できる。出口料金所機器３は、エリア管理装置１からの情報に基づいて、出場する車両に搭載された車載器ＳにセットされているＥＴＣカードＣの記憶領域Ｅに出口および出場日時を示す情報を書き込む処理を含む出場処理を実行する。
【０１７６】
なお、第３実施形態に係る料金処理システムにおける関所機器５は、図７に示すような第１実施形態で説明した関所機器と同様な動作を行うもので良い。このため、第３実施形態においては、関所機器５の動作については詳細な説明を省略するものとする。
【０１７７】
次に、第３実施形態に係る料金処理システムにおける出口料金所機器３の動作について説明する。  
図２２は、第３実施形態に係る料金処理システムにおける出口料金所機器３の動作例を説明するためのフローチャートである。  
出口料金所機器３の制御部３１は、出口料金所に進入する車両を検知すると（ＳＴ３５１）、車両通信部３３によって当該車両に搭載されている車載器Ｓとの通信を開始する。車載器Ｓとの通信が確立すると、制御部３１は、車載器Ｓとの通信によって当該車両に関する各種の情報を取得する（ＳＴ３５２）。例えば、第３実施形態において、制御部３１は、カードＩＤおよび車載器ＩＤなどの識別情報、車種を示す情報、および、入場情報などの情報を車載器Ｓから取得する。
【０１７８】
車載器Ｓから車両を特定するための識別情報（カードＩＤ、車載器ＩＤ）を取得すると、制御部３１は、当該車両に対する変動額に関連する情報（前エリアまでの累積変動額と自エリアの全経路情報）を要求する情報として車載器Ｓから取得した識別情報を含む出場情報を作成し、作成した出場情報を自エリアのエリア管理装置１へ送信する（ＳＴ３５３）。
【０１７９】
また、制御部３１は、車載器Ｓから取得する入場情報に基づいて入口を特定し（ＳＴ３５４）、車載器Ｓから取得する車種を示す情報に基づいて車種を特定する（ＳＴ３５５）。これらの当該車両に対する入口と車種とを特定すると、制御部３１は、入口と出口との組み合わせに応じた基本料金を当該車種に対応する基本テーブルＴ１から引当てる（ＳＴ３５６）。
【０１８０】
出場情報を送信したエリア管理装置１から変動額に関連する情報を受信すると、制御部３１は、エリア管理装置１から受信した自エリアの全経路情報に基づいて自エリアにおける全ての経路に対する変動額を変動課金テーブルＴ２Ａ（Ｔ２Ｂ）から引当てる（ＳＴ３５７）。自エリアにおける全ての経路に対する変動額を引き当てると、制御部３１は、自エリアの全経路に対する変動額の合計と前エリアまでの累積変動額とを加算することにより全エリアの累積変動額を計算する（ＳＴ３５８）。
【０１８１】
全エリアの累積変動額を計算すると、制御部３１は、計算した全エリアの累積変動額を基本料金に適用した合計の金額を当該車両に課する通行料金として算出する（ＳＴ３５９）。通行料金を算出すると、制御部３１は、算出した通行料金を路側表示器３５に表示し（ＳＴ３６０）、発進制御器３４により当該車両の出場を許可する（ＳＴ３６１）。さらに、制御部３１は、当該車両の車載器ＳにセットされているＥＴＣカードＣに出場情報を書込み（ＳＴ３６２）、当該車両に対する出場処理を終了する。
【０１８２】
以上のように、第３実施形態によれば、エリア管理装置は、エリア別の変動課金テーブルを具備し、自エリアでの経路情報を蓄積する。車両が他のエリアへ移動する場合、移動元のエリアのエリア管理装置は、自エリアでの全経路情報に基づく自エリアでの全経路に応じた変動額を含む累積変動額を移動先のエリア管理装置へ送信する。移動先のエリア管理装置は、移動元のエリア管理装置からの前エリアまでの累積変動額を保持し、さらに自エリアでの経路情報も保持する。さらに、各エリア管理装置１は、出場情報に応じて前エリアまでの累積変動額と自エリアでの全経路情報と出口料金所機器へ送信する。出口料金所機器は、基本テーブルとエリア別の変動課金テーブルとを具備し、自エリアでの全経路に応じた変動額を引き当て前エリアまでの累積変動額に加算することで全エリアの全経路に応じた変動額の合計を算出し、入口と出口との組み合わせに基づく基本料金に全エリアの全経路に応じた変動額の合計を適用することによって通行料金を算出する。
【０１８３】
これにより、第３実施形態に係る料金処理システムでは、各エリアのエリア管理装置が他のエリアから前エリアまでの累積変動額を引き継ぐことにより、前エリアまでの累積変動額と自エリアでの全経路情報とを出口料金所機器へ提供することができ、広大な地域にまたがる大規模な有料道路において経路別の混雑度などに基づいて設定される経路に応じた変動額を効率良く処理することができる。また、第３実施形態に係る料金処理システムでは、各エリア管理装置がエリア間を移動した車両の累積変動額を送受信するため、大量のデータをエリア間で転送する必要が無く、通信データ量を少なくでき、エリア間での通信負荷を軽減できる。
【０１８４】
（第３実施形態における第１変形例）
上述した第３実施形態では、各エリア管理装置と各出口料金所機器とが自エリアに対応するエリア別の変動課金テーブルを具備するものとした。しかしながら、各エリア管理装置および各出口料金所機器が具備する変動課金テーブルは、有料道路全体（全てのエリア）の各経路に対する変動額を示す共通の変動課金テーブルとしても良い。
【０１８５】
ここでは、第３実施形態の第１変形例として、上述した第３実施形態に係る料金処理システムにおいてエリア管理装置が具備する変動課金テーブルを全エリアに対応する共通の変動課金テーブルに置き換えたものについて説明する。
【０１８６】
図２３は、第３実施形態の第１変形例に係る料金処理システムの運用例を説明するための模式図である。  
図２３に示すように、第３実施形態の第１変形例に係る料金処理システムは、上述した図２０に示すような構成の第３実施形態に係る料金処理システムにおいて各エリア管理装置および各出口料金所機器が具備するエリア別の変動課金テーブルＴ２Ａ、Ｔ２Ｂを全エリアに対応する共通の変動課金テーブルＴ２に置き換えた構成を具備するものである。全エリアに共通の変動課金テーブルＴ２は、上述した第１実施形態の第１変形例で説明したもので良く、各エリア管理装置１（１Ａ、１Ｂ）が実施する処理は、各エリア管理装置が変動額を引き当てるテーブルを共通の変動課金テーブルＴ２とする以外は上述した第３実施形態と同様な処理で実現できる。
【０１８７】
図２３に示す構成によれば、共通の変動課金テーブルＴ２は、全てのエリアにおける全ての経路に対する変動額を格納するため、エリア別の変動課金テーブルＴ２Ａ、Ｔ２Ｂに比べてデータ量が多くなるが、エリアごとに作成したり更新したりする必要がなく、有料道路全体における全ての経路に応じた変動額を一元的に管理できる。
【０１８８】
（第３実施形態における第２変形例）
上述した第３実施形態の第1変形例では、各エリア管理装置が、自エリアにおいて通過した経路を示す経路情報を蓄積し、関所を通過して車両が他のエリアへ移動した場合に当該車両に対する自エリアでの全経路に応じた変動額の合計額を含む累積変動額を移動先のエリアのエリア管理装置へ引き継ぐようにした。しかしながら、各エリア管理装置は、自エリアにおいて通過した全ての経路を示す全経路情報を移動先のエリアのエリア管理装置へ引き継ぐようにしても良い。これによって、エリア管理装置は変動課金テーブルを具備する必要もなくなる。
【０１８９】
第３実施形態の第２変形例としては、上述した第３実施形態に係る料金処理システムにおいてエリア管理装置が累積変動額ではなく経路情報を移動先のエリアのエリア管理装置へ送信するものについて説明する。
【０１９０】
図２４は、第３実施形態の第２変形例に係る料金処理システムの運用例を説明するための模式図である。  
図２４に示すように、第３実施形態の第２変形例に係る料金処理システムは、上述した図２０に示す構成において変動課金テーブルを全エリアに対応する共通の変動課金テーブルＴ２に置き換えた構成で実現されるものである。
【０１９１】
図２４に示す例において、エリア管理装置１Ａは、エリアＡ内の経路機器４ａから取得する通過経路情報Ｄａｔａ３２を記憶部１２に記憶する。また、エリア管理装置１Ａは、入口料金所機器２ａからの入場情報Ｄａｔａ３１も変動額を特定するための条件を示す経路情報の１つとして記憶部１２に記憶しても良い。エリア管理装置１Ａは、関所機器５からのエリア跨ぎ情報Ｄａｔａ３３を受信すると、受信したエリア跨ぎ情報Ｄａｔａ３３に含まれる車両の識別情報に対応する全ての経路情報を記憶部１２から抽出し、全経路情報を含む引継情報Ｄａｔａ３４´を移動先のエリアＢのエリア管理装置１Ｂへ送信する。
【０１９２】
エリア管理装置１Ｂは、エリア管理装置１Ａからの引継情報Ｄａｔａ３４´に含まれる全経路情報（前エリアまでの全経路情報）を車両の識別情報に対応づけて記憶部１２に記憶する。エリア管理装置１Ｂは、エリアＢ内の経路機器４ｃから通過経路情報Ｄａｔａ３５を受信すると、自エリアでの経路情報として記憶部１２に記憶する。エリア管理装置１Ｂは、出口料金所機器３ｃから出場情報Ｄａｔａ３６を受信すると、受信した出場情報Ｄａｔａ３６に含まれる車両の識別情報に対応する全ての経路情報（前エリアまでの全経路と自エリアでの全経路）とを記憶部１２から抽出する。エリア管理装置１Ｂは、抽出した全エリアの全ての経路情報を含む変動額の関連情報Ｄａｔａ３７´を出口料金所機器３ｃへ送信する。これにより、出口料金所機器３ｃは、全ての経路情報に対する変動額を変動課金テーブルＴ２から引当て、変動額の合計を基本テーブルから引当てる基本料金に適用して通行料金を計算する。
【０１９３】
次に、第３実施形態の第２変形例に係る料金処理システムにおけるエリア管理装置１の動作について説明する。  
図２５は、第３実施形態の第２変形例に係る料金処理システムにおけるエリア管理装置１の動作例を説明するためのフローチャートである。  
第３実施形態の第２変形例において、各エリア管理装置１は、エリア内における入口料金所機器２からの入場情報、経路機器４からの通過経路情報、関所機器５からのエリア跨ぎ情報、および、出口料金所機器３からの出場情報を随時受信する。また、エリア管理装置１は、関所を通過してエリア内に移動してきた車両がこれまでに通行した全ての経路を示す情報を含む引継情報を移動元のエリアのエリア管理装置から受信する。
【０１９４】
入口料金所機器２からの入場情報を受信した場合（ＳＴ３７１、ＹＥＳ）、エリア管理装置１の制御部１１は、記憶部１２に入場情報を記憶する（ＳＴ３７２）。ただし、入場情報に含まれる情報を変動額の条件としない場合などには、エリア管理装置１は、入口料金所機器２から入場情報を取得しなくても良い。  
経路機器４からの通過経路情報を受信した場合（ＳＴ３７３、ＹＥＳ）、エリア管理装置１の制御部１１は、受信した通過経路情報を記憶部１２に記憶する（ＳＴ３７４）。
【０１９５】
また、関所機器５からのエリア跨ぎ情報を受信した場合（ＳＴ３７５、ＹＥＳ）、エリア管理装置１の制御部１１は、受信したエリア跨ぎ情報に含まれる識別情報で特定される車両に関する全ての経路情報を次のエリアへ引き継ぐための引継情報を作成する（ＳＴ３７６）。制御部１１は、エリア跨ぎ情報に含まれる車両の識別情報に基づいて当該車両のこれまでの全ての経路情報を記憶部１２から抽出し、抽出した全ての経路情報と当該車両の識別情報とを含む引継情報を作成する（ＳＴ３７６）。さらに、制御部１１は、エリア跨ぎ情報に基づいて移動先のエリアを担当するエリア管理装置を特定し、移動先のエリアのエリア管理装置へ作成した引継情報を送信する（ＳＴ３７７）。  
また、他のエリアのエリア管理装置から引継情報を受信した場合（ＳＴ３７８、ＹＥＳ）、エリア管理装置１の制御部１１は、受信した引継情報に含まれる前エリアまでの全ての経路情報を車両の識別情報に対応づけて記憶部１２に記憶する（ＳＴ３７９）。
【０１９６】
また、出口料金所機器３から出場情報を受信した場合（ＳＴ３８０、ＹＥＳ）、エリア管理装置１の制御部１１は、記憶部１２において受信した出場情報に含まれる識別情報で特定される車両の全ての経路情報を検索する（ＳＴ３８１）。全ての経路情報を抽出すると、制御部１１は、抽出した全ての経路情報を含む変動額に関連する情報を作成する（ＳＴ３８２）。制御部１１は、作成した全ての経路情報を含む変動額に関連する情報を出場情報の送信元である出口料金所機器３へ送信する（ＳＴ３８３）。これにより、エリア管理装置は、車両が通過した全エリアの全経路情報を含む情報を出口料金所機器３へ提供することできる。
【０１９７】
なお、第３実施形態の第２変形例に係る料金処理システムおいて、関所機器５は第１実施形態として上述した図７に示す処理と同様な処理を行うもので良く、出口料金所機器３は、上述した図２２に示す処理と同様な流れで、エリア管理装置から受信する変動額の関連情報に含まれる全経路情報に基づいて全エリアでの全経路に応じた変動額を共通の変動課金テーブルＴ２からそれぞれ引当てて全ての経路に応じた変動額の合計（累積変動額）を算出し、基本テーブルＴ１から引当てる基本料金に全エリアでの全経路に応じた変動額の合計を適用して通行料金を算出するようにすれば良い。
【０１９８】
以上のように、第３実施形態の第２変形例によれば、エリア管理装置は、自エリア内の経路機器から収集する通過経路情報を蓄積する。エリア管理装置は、関所機器からエリア跨ぎ情報を受けた場合、自エリアまでの全ての経路情報を引継情報として移動先のエリア管理装置へ送信する。また、エリア管理装置は、出口料金所機器から出場情報を受けた場合、前エリアまでの全経路と自エリアでの全経路とを示す全エリアの全経路を示す情報を出口料金所機器へ送信する。
【０１９９】
これにより、第３実施形態の第２変形例に係る料金処理システムでは、自エリアまでの全ての経路情報を移動先のエリア管理装置に引き継ぎことができ、広大な地域にまたがるような大規模な有料道路であっても車両が通行した全ての経路情報の確実に管理でき、経路別の混雑度などに基づいて設定される経路に応じた変動額を適用した通行料金の処理を円滑に行うことができる。
【０２００】
（第４実施形態）
第４実施形態は、基本課金テーブルと変動課金テーブルの両方を出口料金所が管理する実施の掲載で、更に入場情報、経路情報をＥＴＣカードに記憶して管理する実施の形態である。
【０２０１】
なお、エリア間を移動する場合には、エリア管理装置が関所機器を介してＥＴＣカード内のメモリに書込んだ自エリア内の全経路情報を取得し、自エリア内の全経路情報に応じた累積変動額を移動先のエリア管理装置へ提供する。さらに、出場する場合には、エリア管理装置から移動元のエリアのエリア管理装置から引き継いだ前エリアまでの累積変動額を出口料金所機器へ提供するものである。
【０２０２】
以下、第４実施形態に係る料金処理システムについて詳細に説明する。  
第４実施形態に係る料金処理システムは、第１実施形態で説明した図１に示すような各種の装置で実現され、各装置が第３実施形態で説明した図１９に示すような構成を具備するものである。すなわち、第４実施形態に係る料金処理システムは、図１９に示すように、出口料金所機器３が基本テーブルＴ１および自エリアの変動課金テーブルＴ２Ａ（Ｔ２Ｂ）を設けた記憶部３６を具備し、各エリア管理装置１Ａ、１Ｂが、エリア別の変動課金テーブルＴ２Ａ、Ｔ２Ｂを具備する構成である。
【０２０３】
図２６は、第４実施形態に係る料金処理システムの運用例を説明するための模式図である。  
図２６は、図５に示す例と同様に、エリアＡの入口料金所「ＩＣ：Ａ」から入場した車両が、エリアＡの経路ａ、関所、エリアＢの経路ｃを通過した後に、エリアＢの出口料金所「ＩＣ：Ｃ」から出場する様子を模式的に例示する図である。
【０２０４】
入口料金所機器２ａは、入口料金所「ＩＣ：Ａ」に進入する車両に搭載された車載器Ｓと通信し、当該車載器Ｓに有効なＥＴＣカードＣが正常にセットされていることを確認すると、当該ＥＴＣカードＣ内のメモリに記憶領域Ｅを確保し、当該記憶領域Ｅに入口および入場日時を示す入場情報を書き込み、当該車両の入場を許可する。
【０２０５】
次に、入口料金所「ＩＣ：Ａ」から入場した車両がエリアＡにおける経路ａを通過する場合、経路機器４ａは、車両に搭載された車載器Ｓと通信し、当該車載器ＳにセットされているＥＴＣカードＣ内の記憶領域Ｅに経路ａを通過したことを示す経路情報を書き込む。ＥＴＣカードＣの記憶領域Ｅに書込む経路情報は、例えば、通過した経路を示す情報と通過日時とである。
【０２０６】
次に、経路ａを通過した車両が関所を通過する場合、関所機器５は、関所を通過する車両に搭載されている車載器Ｓと通信し、車載器ＳからＥＴＣカードＣのメモリに記録されている全ての経路情報を取得する。関所機器５は、取得した全経路情報と関所通過を示す情報と車両の識別情報とを含むエリア跨ぎ情報Ｄａｔａ４３を作成し、作成したエリア跨ぎ情報Ｄａｔａ４３をエリアＡのエリア管理装置１Ａへ送信する。なお、関所機器５は、車載器からＥＴＣカードＣのメモリに記録されている入場情報も取得し、取得した入場情報を含めたエリア跨ぎ情報を作成するようにしても良い。
【０２０７】
エリア管理装置１Ａは、関所機器５からエリア跨ぎ情報Ｄａｔａ４３を受信すると、関所を通過する車両に対する累積変動額を移動先のエリアＢのエリア管理装置１Ｂへ引き継ぐための引継情報Ｄａｔａ４４を作成する。例えば、エリア管理装置１Ａは、受信したエリア跨ぎ情報４３に含まれる当該車両のエリアＡ（自エリア）における全ての経路情報に対する変動額をエリアＡ用の変動課金テーブルＴ２Ａから引き当て、エリアＡでの全経路に応じた変動額の合計値を累積変動額として算出する。なお、ここで、エリアＡよりも前のエリアからの累積変動額（前エリアまでの累積変動額）を引き継いでいれば、エリア管理装置１Ａは、エリアＡでの全経路に応じた変動額の合計を前エリアまでの累積変動額に加算したものを累積変動額として算出する。
【０２０８】
累積変動額を算出すると、エリア管理装置１Ａは、算出した自エリアまでの累積変動額と当該車両の識別情報（カードＩＤまたは車載器ＩＤ）とを含む引継情報Ｄａｔａ４４を作成する。なお、エリア管理装置１Ａは、入場情報を含むエリア跨ぎ情報を取得した場合、入場情報を含めた引継情報を作成するようにしても良い。  
引継情報Ｄａｔａ４４を作成すると、エリア管理装置１Ａは、当該車両の移動先であるエリアＢのエリア管理装置１Ｂへ当該引継情報Ｄａｔａ４４を送信する。これにより、移動先のエリア管理装置１Ｂは、移動元のエリア管理装置１Ａからの引継情報Ｄａｔａ４４に含まれる累積変動額を前エリアまでの累積変動額として記憶する。
【０２０９】
また、関所機器５は、車載器ＳからＥＴＣカードＣ内の記憶領域Ｅに記録されている移動元のエリアにおける全ての経路情報を取得した後（あるいは、エリア跨ぎ情報Ｄａｔａ４３をエリアＡのエリア管理装置１Ａへ送信した後）、当該ＥＴＣカードＣの記憶領域Ｅから移動元のエリアによる全経路情報（記録している全経路情報）を削除する。これは、移動元のエリアにおける全経路情報の記録を削除することで、ＥＴＣカードＣの記憶領域Ｅにおける経路情報の記憶領域を確保するものである。図２６に示す例では、関所機器５が移動元のエリアにおける経路情報を削除した状態を示している。
【０２１０】
次に、関所からエリアＢへ進入した車両が経路ｃを通過する場合、経路機器４ｃは、各経路ｃを通過する車両の車載器Ｓと通信し、ＥＴＣカードＣの記憶領域ＥにエリアＢの経路ｃを通過したことを示す経路情報を書込む。
【０２１１】
次に、車両が出口料金所「ＩＣ：Ｃ」に進入すると、出口料金所機器３ｃは、車両に搭載されている車載器Ｓと通信により当該車両の識別情報を取得し、当該車両の識別情報に対応する前エリアまでの累積変動額をエリア管理装置１Ｂへ要求する。  
エリア管理装置１Ｂは、出口料金所機器３ｃから要求に応じて当該車両の識別情報に対する前エリアまでの累積変動額を記憶部１２で検索する。前エリアまでの累積変動額があれば、エリア管理装置１Ｂは、前エリアまでの累積変動額を示す情報を含む当該車両に対する変動額に関する情報としての応答を出口料金所機器３ｃへ送信する。なお、要求された車両の識別情報に対応する前エリアまでの累積変動額がなければ、エリア管理装置１Ｂは、当該車両に対する累積変動額がない旨の応答を出口料金所へ送信するようにしても良い。
【０２１２】
また、出口料金所機器３ｃは、出場する車両の車載器Ｓとの通信によってＥＴＣカードＣに記録されている当該車両の入口を示す情報を取得し、車載器Ｓから取得する入口と出口との組み合わせに基づき基本テーブルＴ１から基本料金を引き当てる。また、出口料金所機器３ｃは、車載器Ｓから取得する自エリアでの全ての経路情報に基づいて自エリアでの全経路に応じた変動額を変動課金テーブルＴ２Ｂから引当て、自エリアでの変動額の合計を算出する。さらに、出口料金所機器３ｃは、エリア管理装置１Ｂから前エリアまでの累積変動額を受信した場合、自エリアでの変動額の合計と前エリアまでの累積変動額とを加算した合計の変動額を計算する。出口料金所機器３ｃは、基本テーブルＴ１から引当てた基本料金に、合計の変動額を適用して通行料金を算出する。これにより、出口料金所の出口料金所機器３ｃは、算出した通行料金に基づいて当該車両に対する出場処理を実行し、当該車載器ＳにセットされているＥＴＣカードＣの記憶領域Ｅを入口および出場日時を示す出場情報を書き込み、当該車両の出場を許可する。
【０２１３】
次に、第４実施形態に係る料金処理システムにおける各機器の動作について説明する。
まず、第４実施形態に係る料金処理システムにおけるエリア管理装置１の動作について説明する。  
図２７は、第４実施形態に係る料金処理システムにおけるエリア管理装置１の動作例を説明するためのフローチャートである。  
上述したように第４実施形態に係る料金処理システムのエリア管理装置１は、関所機器５から他のエリアへ移動する車両が自エリア内で通過した全ての経路を示す全経路情報を含むエリア跨ぎ情報を受信する（ＳＴ４１１、ＹＥＳ）。関所機器５からエリア跨ぎ情報を受信した場合（ＳＴ４１１、ＹＥＳ）、エリア管理装置１の制御部１１は、受信したエリア跨ぎ情報に含まれる全ての経路情報について経路に応じた変動額を自エリア用の変動課金テーブルＴ２Ａ（Ｔ２Ｂ）から引当てる（ＳＴ４１２）。自エリアにおける全ての通過経路に対する変動額を引き当てると、制御部１１は、変動額の合計を累積変動額として算出する（ＳＴ４１３）。
【０２１４】
ここで、当該車両に対する前エリアまでの累積変動額を記憶部１２に記憶している場合、制御部１１は、自エリアにおける全ての経路に対する変動額の合計を前エリアまでの累積変動額に加算することで自エリアまでの累積変動額を計算する。当該車両に対する前エリアまでの累積変動額が記憶部１２に記憶されていなければ、制御部１１は、自エリアにおける全ての経路に対する変動額の合計を自エリアまでの累積変動額とする。
【０２１５】
自エリアまでの累積変動額を算出すると、制御部１１は、自エリアまでの累積変動額を次のエリアへ引き継ぐための引継情報を作成する（ＳＴ４１４）。自エリアまでの累積変動額を示す引継情報を作成すると、制御部１１は、エリア跨ぎ情報に基づいて移動先のエリアを担当するエリア管理装置を特定し、移動先のエリアのエリア管理装置へ作成した引継情報を送信する（ＳＴ４１５）
また、他のエリアのエリア管理装置から引継情報を受信した場合（ＳＴ４１６、ＹＥＳ）、エリア管理装置１の制御部１１は、受信した引継情報に含まれる前エリアまでの累積変動額を車両の識別情報に対応づけて記憶部１２に記憶する（ＳＴ４１７）。
【０２１６】
また、出口料金所機器３から前エリアまでの累積変動額の要求を受けた場合（ＳＴ４１８、ＹＥＳ）、エリア管理装置１の制御部１１は、指定される車両に対する前エリアまでの累積変動額を記憶部１２から検索する（ＳＴ４１９）。当該車両に対する前エリアまでの累積変動額を検索すると、制御部１１は、検索結果としての前エリアまでの累積変動額を示す応答情報としての累積変動額情報を作成し（ＳＴ４２０）、作成した累積変動額情報を出口料金所機器３へ送信する（ＳＴ４２１）。これにより、出口料金所のエリアのエリア管理装置は、前エリアまでの累積変動額を自エリアの出口料金所機器３へ提供できる。
【０２１７】
次に、第４実施形態に係る料金処理システムにおける関所機器５の動作について説明する。  
図２２は、第３実施形態に係る料金処理システムにおける出口料金所機器３の動作例を説明するためのフローチャートである。  
関所機器５の制御部５１は、関所を通過する車両を検知すると（ＳＴ４３１、ＹＥＳ）、車両通信部５３によって関所を通過する車両が搭載する車載器Ｓと通信を実行する（ＳＴ４３２）。
【０２１８】
制御部５１は、車両通信部５３によって関所を通過する車両に搭載された車載器Ｓとの通信が確立すると、当該車載器ＳからＥＴＣカードＣに記憶している自エリア内の全ての経路情報を取得する。車載器Ｓから自エリア内の全経路情報を取得すると、制御部５１は、車載器Ｓから取得した自エリア内の全経路情報を含むエリア跨ぎ情報を作成する（ＳＴ４３３）。第４実施形態において、例えば、制御部５１は、車両の識別情報（カードＩＤ、車載器ＩＤ）、通過する関所を示す情報、移動先のエリアを示す情報、自エリア（移動元のエリア）内の全経路情報などを含むエリア跨ぎ情報を作成する。ここで、車載器Ｓから入場情報も取得した場合、制御部５１は、入場情報を含むエリア跨ぎ情報を作成するようにしても良い。
【０２１９】
エリア跨ぎ情報を作成すると、制御部５１は、作成したエリア跨ぎ情報を移動元のエリアのエリア管理装置１へ送信する（ＳＴ４３４）。ただし、関所機器５は、エリア跨ぎ情報を移動先のエリアのエリア管理装置１へ送信するようにしても良いし、移動元のエリアのエリア管理装置と移動先のエリアのエリア管理装置との両方に送信するようにしても良い。
【０２２０】
また、制御部５１は、関所を通過する車両の車載器ＳからＥＴＣカードＣが記憶する移動元のエリア内での経路情報を取得した後、当該車載器ＳにセットされているＥＴＣカードＣに記憶されている移動元のエリア内の全経路情報をクリアする処理を行う（ＳＴ４３５）。これにより、関所を通過する車両の車載器ＳにセットされているＥＴＣカードＣは、経路情報を記憶する領域が開放され、移動先のエリアでの経路情報を書き込めるものとなる。この結果として、記憶領域の容量が小さいＥＴＣカードＣであっても、経路情報を確実に記録できるようにすることができる。
【０２２１】
次に、第４実施形態に係る料金処理システムにおける出口料金所機器３の動作について説明する。  
図２９は、第４実施形態に係る料金処理システムにおける出口料金所機器３の動作例を説明するためのフローチャートである。  
出口料金所機器３の制御部３１は、出口料金所に進入する車両を検知すると（ＳＴ４５１）、車両通信部３３によって当該車両に搭載されている車載器Ｓとの通信を開始する。車載器Ｓとの通信が確立すると、制御部３１は、車載器Ｓとの通信によって当該車両に関する各種の情報を取得する（ＳＴ４５２）。例えば、第４実施形態において、制御部３１は、カードＩＤおよび車載器ＩＤなどの識別情報、車種を示す情報、および、入場情報などの情報を車載器Ｓから取得する。
【０２２２】
車載器Ｓから車両を特定するための識別情報（カードＩＤ、車載器ＩＤ）を取得すると、制御部３１は、当該車両に対する前エリアまでの累積変動額を自エリアのエリア管理装置１へ要求する（ＳＴ４５３）。
【０２２３】
また、制御部３１は、車載器Ｓから取得する入場情報に基づいて入口を特定し（ＳＴ４５４）、車載器Ｓから取得する車種を示す情報に基づいて車種を特定する（ＳＴ４５５）。これらの当該車両に対する入口と車種とを特定すると、制御部３１は、入口と出口との組み合わせに応じた基本料金を当該車種に対応する基本テーブルＴ１から引当てる（ＳＴ４５６）。さらに、制御部３１は、車載器Ｓから取得する自エリア内での全経路情報に基づいて自エリアにおける全ての通過経路に対する変動額を自エリア用の変動課金テーブルＴ２Ａ（Ｔ２Ｂ）から引当てる（ＳＴ４５７）。
【０２２４】
また、エリア管理装置１へ累積変動額を要求した後、制御部３１は、エリア管理装置１から前エリアまでの累積変動額を示す応答情報を取得し、エリア管理装置１から取得する前エリアまでの累積変動額と自エリアでの変動額の合計とを加算することにより全エリアの累積変動額を計算する（ＳＴ４５８）。
【０２２５】
全エリアの累積変動額を計算すると、制御部３１は、計算した全エリアの累積変動額を基本料金に適用した合計の金額を当該車両に課する通行料金として算出する（ＳＴ４５９）。通行料金を算出すると、制御部３１は、算出した通行料金を路側表示器３５に表示し（ＳＴ４６０）、発進制御器３４により当該車両の出場を許可する（ＳＴ４６１）。さらに、制御部３１は、当該車両の車載器ＳにセットされているＥＴＣカードＣに出場情報を書込み（ＳＴ４６２）、当該車両に対する出場処理を終了する。
【０２２６】
以上のように、第４実施形態によれば、車両の車載器にセットしたＥＴＣカードは入場情報と経路情報とを記憶し、関所機器は、関所を通過する車両の車載器にセットしたＥＴＣカードに記録されている自エリア内の全経路情報を取得し、自エリア内の全経路情報を含むエリア跨ぎ情報をエリア管理装置に送信するとともに、ＥＴＣカードに記録されている自エリア内の全経路情報を削除する。各エリア管理装置１は、関所機器から自エリア内の経路情報を含むエリア跨ぎ情報を受信した場合、エリア別の変動課金テーブルＴ２から自エリア内での通過経路に応じた変動額を引き当て累積変動額を計算し、累積変動額を含む引継情報を移動先のエリア管理装置へ送信する。さらに、各エリア管理装置１は、自エリアにおける出口料金所機器からの要求に応じて、前エリアまでの累積変動額を示す応答情報を出口料金所機器へ提供する。出口料金所機器は、車載器から取得する自エリアの全経路情報に基づいて自エリアの全経路に応じた変動額を引き当てて前エリアまでの累積変動額に加算した全エリアの全経路に応じた変動額の合計を計算する。出口料金所機器は、計算した変動額が合計を基本テーブルによって引き当てる基本料金に適用することによって通行料金を算出する。
【０２２７】
これにより、第４実施形態に係る料金処理システムでは、各エリアのエリア管理装置が自エリアでの変動額を移動先のエリアのエリア管理装置に引き継ぐことができ、広大な地域にまたがる大規模な有料道路において経路別の混雑度などに基づいて設定される経路に応じた変動額を効率良く処理することができる。また、第４実施形態に係る料金処理システムでは、各エリア管理装置がエリア間を移動した車両の累積変動額を送受信するため、大量のデータをエリア間で転送する必要が無く、通信データ量を少なくでき、エリア間での通信負荷を軽減できる。
【０２２８】
（第４実施形態における第１変形例）
上述した第４実施形態では、エリア管理装置と出口料金所機器とが自エリアに対応するエリア別の変動課金テーブルを具備するものとした。しかしながら、エリア管理装置および出口料金所機器が具備する変動課金テーブルは、有料道路全体（全てのエリア）の各経路に対する変動額を示す共通の変動課金テーブルとしても良い。
【０２２９】
第４実施形態の第１変形例は、上述した第４実施形態に係る料金処理システムにおいてエリア管理装置および各出口料金所機器が具備する変動課金テーブルを全エリアに対応する共通の変動課金テーブルに置き換えたものである。
【０２３０】
図３０は、第４実施形態の第１変形例に係る料金処理システムの運用例を示す模式図である。  
図３０に示すように、第４実施形態の第１変形例に係る料金処理システムは、上述した図２０に示すような構成の料金処理システムにおいて各エリア管理装置および各出口料金所機器が具備する変動課金テーブルを全エリアに対応する共通の変動課金テーブルＴ２に置き換えた構成を具備するものである。全エリアに共通の変動課金テーブルＴ２は、上述した第１実施形態の第１変形例で説明したもので良く、各エリア管理装置１（１Ａ、１Ｂ）が実施する処理は、各エリア管理装置が変動額を引き当てるテーブルを共通の変動課金テーブルＴ２とする以外は上述した第４実施形態と同様な処理で実現できる。
【０２３１】
図３０に示す構成によれば、共通の変動課金テーブルＴ２は、全てのエリアにおける全ての経路に対する変動額を格納するため、エリア別の変動課金テーブルＴ２Ａ、Ｔ２Ｂに比べてデータ量が多くなるが、エリアごとに作成したり更新したりする必要がなく、有料道路全体における全ての経路に応じた変動額を一元的に管理できる。
【０２３２】
（第４実施形態における第２変形例）
上述した第４実施形態の第1変形例では、各エリア管理装置は、車両が関所を通過する場合に関所機器から取得する全経路情報に基づく自エリアでの変動額の合計額を累積変動額として移動先のエリアのエリア管理装置へ引き継ぐようにした。しかしながら、各エリア管理装置は、関所機器から取得する自エリアでの通過経路を示す全経路情報を移動先のエリアのエリア管理装置へ引き継ぐようにしても良い。  
第４実施形態の第２変形例では、上述した第４実施形態に係る料金処理システムにおいてエリア管理装置が累積変動額ではなく自エリアまでの全経路情報を移動先のエリアのエリア管理装置へ引き継ぐものについて説明する。
【０２３３】
図３１は、第４実施形態の第２変形例に係る料金処理システムの運用例を示す図である。  
図３１に示すように、第４実施形態の第２変形例に係る料金処理システムは、上述した図２０に示す構成において出口料金所機器が具備する変動課金テーブルを全エリアに対応する共通の変動課金テーブルＴ２に置き換え、さらに、各エリア管理装置が変動課金テーブルを不要とする構成で実現されるものである。
【０２３４】
図３１に示す例において、まず、入口料金所機器２ａは、入場する車両の車載器ＳにセットされているＥＴＣカードＣ内のメモリの記憶領域Ｅに入口および入場日時を示す入場情報を書き込み、当該車両の入場を許可する。次に、経路機器４ａは、経路ａを通過する車両の車載器ＳにセットされているＥＴＣカードＣの記憶領域Ｅに経路ａを通過したことを示す経路情報を書き込む。
【０２３５】
次に、関所機器５は、関所を通過する車両の車載器ＳにセットされているＥＴＣカードＣから移動元のエリアにおける全ての経路情報を取得する。関所機器５は、取得した全経路情報と関所通過を示す情報と車両の識別情報とを含むエリア跨ぎ情報Ｄａｔａ４３をエリアＡのエリア管理装置１Ａへ送信する。エリア管理装置１Ａは、関所機器５から受信するエリア跨ぎ情報Ｄａｔａ４３に含まれるエリアＡ（自エリア）における全ての経路情報と当該車両の識別情報（カードＩＤまたは車載器ＩＤ）とを含む引継情報Ｄａｔａ４４´を作成し、当該車両の移動先であるエリアＢのエリア管理装置１Ｂへ引継情報Ｄａｔａ４４を送信する。これにより、移動先のエリア管理装置１Ｂは、移動元のエリア管理装置１Ａからの引継情報Ｄａｔａ４４に含まれる全ての経路情報を前エリアまでの全ての経路情報として記憶する。
【０２３６】
また、関所機器５は、車載器ＳからＥＴＣカードＣ内の記憶領域Ｅに記録されている全ての経路情報を取得した後、当該ＥＴＣカードＣの記憶領域Ｅから移動元のエリアでの経路情報（記録している全経路情報）を削除する。
【０２３７】
次に、経路機器４ｃは、各経路ｃを通過する車両の車載器ＳにセットされるＥＴＣカードＣの記憶領域Ｅに経路ｃを通過したことを示す情報と通過日時を示す情報とを書込む。
次に、出口料金所機器３ｃは、車両に搭載されている車載器Ｓと通信し、当該車両に対応する前エリアまでの全経路情報をエリア管理装置１Ｂへ要求する。エリア管理装置１Ｂは、出口料金所機器３ｃから要求に応じて当該車両の識別情報に対する前エリアまでの全経路情報を記憶部１２から抽出し、前エリアまでの全経路情報を示す情報Ｄａｔａ４６´を含む応答を出口料金所機器３ｃへ送信する。
【０２３８】
この結果、出口料金所機器３ｃは、車両の車載器ＳからＥＴＣカードＣに記録されているエリアＢにおける全経路情報を取得し、前エリアまでの全経路情報をエリア管理装置１Ｂから取得することで、当該車両の全エリアの全経路情報を取得できる。これにより、出口料金所機器３ｃは、全エリアの全経路情報に対する変動額を変動課金テーブルＴ２から引当て、全エリアでの変動額の合計を基本テーブルから引当てる基本料金に適用することによって当該車両に課する通行料金を算出する。
【０２３９】
次に、第４実施形態の第２変形例に係る料金処理システムにおけるエリア管理装置１の動作について説明する。  
図３２は、第４実施形態の第２変形例に係る料金処理システムにおけるエリア管理装置１の動作例を説明するためのフローチャートである。  
関所機器５からエリア跨ぎ情報を受信した場合（ＳＴ４７１、ＹＥＳ）、エリア管理装置１の制御部１１は、受信したエリア跨ぎ情報に含まれる全ての経路情報を含む引継情報を作成し（ＳＴ４７２）、移動先のエリアのエリア管理装置へ作成した引継情報を送信する（ＳＴ４７３）。ただし、当該車両に対する前エリアまでの経路情報を記憶部１２に記憶している場合、制御部１１は、自エリアにおける全経路情報と前エリアまでの全経路情報とからなる自エリアまでの全経路情報を含む引継情報を作成して移動先のエリアのエリア管理装置へ送信するものとする。
【０２４０】
また、他のエリアのエリア管理装置から引継情報を受信した場合（ＳＴ４７４、ＹＥＳ）、エリア管理装置１の制御部１１は、受信した引継情報に含まれる前エリアまでの全経路情報を車両の識別情報に対応づけて記憶部１２に記憶する（ＳＴ４７５）。
【０２４１】
また、出口料金所機器３から前エリアまでの経路情報の要求を受けた場合（ＳＴ４７６、ＹＥＳ）、エリア管理装置１の制御部１１は、指定される識別情報の車両に対する前エリアまでの全経路情報を記憶部１２から検索し（ＳＴ４７７）、検索結果として得られた前エリアまでの全経路情報を示す応答情報を作成し（ＳＴ４７８）、作成した応答情報を出口料金所機器３へ送信する（ＳＴ４７９）。これにより、出口料金所のエリアのエリア管理装置は、前エリアまでの全経路情報と自エリアの出口料金所機器３へ提供できる。
【０２４２】
次に、第４実施形態の第２変形例に係る料金処理システムにおける出口料金所機器３の動作について説明する。  
図３３は、第４実施形態の第２変形例に係る料金処理システムにおける出口料金所機器３の動作例を説明するためのフローチャートである。  
出口料金所機器３の制御部３１は、出口料金所に進入する車両を検知すると（ＳＴ４８１）、車両通信部３３によって当該車両に搭載されている車載器Ｓと通信し、当該車両に関する各種の情報を取得する（ＳＴ４８２）。例えば、制御部３１は、カードＩＤおよび車載器ＩＤなどの識別情報、車種を示す情報、入場情報、自エリアの全経路情報などの情報を車載器Ｓから取得する。
【０２４３】
車載器Ｓから車両を特定するための識別情報（カードＩＤ、車載器ＩＤ）を取得すると、制御部３１は、当該車両に対する前エリアまでの全経路情報を自エリアのエリア管理装置１へ要求する（ＳＴ４８３）。
【０２４４】
また、制御部３１は、車載器Ｓから取得する入場情報に基づいて入口を特定し（ＳＴ４８４）、車載器Ｓから取得する車種を示す情報に基づいて車種を特定する（ＳＴ４８５）。当該車両に対する入口と車種とを特定すると、制御部３１は、入口と出口との組み合わせに応じた基本料金を当該車種に対応する基本テーブルＴ１から引当てる（ＳＴ４８６）。
【０２４５】
さらに、エリア管理装置１から前エリアまでの全経路情報を取得すると、制御部３１は、車載器Ｓから取得する自エリア内での全経路情報とエリア管理装置１から取得する前エリアまでの全経路情報とに基づいて、全エリアにおける全ての通過経路に対する変動額を共通の変動課金テーブルＴ２から引当てる（ＳＴ４８７）。
【０２４６】
制御部３１は、共通の変動課金テーブルＴ２から引当てた全エリアでの全経路に応じた変動額の合計を計算し（ＳＴ４８８）、全エリアの変動額の合計を基本料金に適用した金額を当該車両に課する通行料金として算出する（ＳＴ４８９）。通行料金を算出すると、制御部３１は、算出した通行料金を路側表示器３５に表示し（ＳＴ４９０）、発進制御器３４により当該車両の出場を許可する（ＳＴ４９１）。さらに、制御部３１は、当該車両の車載器ＳにセットされているＥＴＣカードＣに出場情報を書込み（ＳＴ４９２）、当該車両に対する出場処理を終了する。
【０２４７】
以上のように、第４実施形態の第２変形例によれば、エリア管理装置は、関所機器からのエリア跨ぎ情報に含まれる自エリア内の全経路機器を取得し、自エリアまでの全経路情報を示す引継情報を移動先のエリア管理装置へ送信する。移動先のエリア管理装置は、前エリアまでの全経路情報の要求を受けた場合、前エリアまでの全経路を示す情報を出口料金所機器へ送信する。出口料金所機器は、エリア管理装置から取得する前エリアまでの全経路情報と車載器にセットされたＥＴＣカードから取得する自エリアの全経路情報とに基づいて全エリアにおける全経路に応じた変動額を引き当てて通行料金を計算する。
【０２４８】
これにより、第４実施形態の第２変形例に係る料金処理システムでは、自エリアまでの全ての経路情報を移動先のエリア管理装置に引き継ぐことができ、広大な地域にまたがるような大規模な有料道路であっても車両が通行した全ての経路情報の確実に管理でき、経路別の混雑度などに基づいて設定される経路に応じた変動額を適用した通行料金の処理を円滑に行うことができる。
【０２４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０２５０】
１（１Ａ、１Ｂ）…エリア管理装置、２…入口料金所機器、３…出口料金所機器、４…経路機器、５…関所機器、１１…制御部、１２…記憶部、１３…機器通信部、１４…エリア間通信部、３１…制御部、３２…上位通信部、３３…車両通信部、３４…発進制御器、３５…路側表示器、３６…記憶部、４１…制御部、４２…上位通信部、４２…上位通信部、４３…車両通信部、４３…情報、５１…制御部、５２…上位通信部、５３…車両通信部、Ｃ…ＥＴＣカード、Ｓ…車載器、Ｔ１（Ｔ１ａ、Ｔ１ｂ、Ｔ１ｃ）…基本テーブル、Ｔ２Ａ、Ｔ２Ｂ、Ｔ２…変動課金テーブル
【図１】
2020107111.tif 000003
【図２】
2020107111.tif 000004
【図３】
2020107111.tif 000005
【図４】
2020107111.tif 000006
【図５】
2020107111.tif 000007
【図６】
2020107111.tif 000008
【図７】
2020107111.tif 000009
【図８】
2020107111.tif 000010
【図９】
2020107111.tif 000011
【図１０】
2020107111.tif 000012
【図１１】
2020107111.tif 000013
【図１２】
2020107111.tif 000014
【図１３】
2020107111.tif 000015
【図１４】
2020107111.tif 000016
【図１５】
2020107111.tif 000017
【図１６】
2020107111.tif 000018
【図１７】
2020107111.tif 000019
【図１８】
2020107111.tif 000020
【図１９】
2020107111.tif 000021
【図２０】
2020107111.tif 000022
【図２１】
2020107111.tif 000023
【図２２】
2020107111.tif 000024
【図２３】
2020107111.tif 000025
【図２４】
2020107111.tif 000026
【図２５】
2020107111.tif 000027
【図２６】
2020107111.tif 000028
【図２７】
2020107111.tif 000029
【図２８】
2020107111.tif 000030
【図２９】
2020107111.tif 000031
【図３０】
2020107111.tif 000032
【図３１】
2020107111.tif 000033
【図３２】
2020107111.tif 000034
【図３３】
2020107111.tif 000035